(57)【要約】【課題】テーブルの収納性と展開操作性との両立を図ること。【解決手段】乗物用テーブルＴａであって、物載せとなるテーブル本体５と、テーブル本体５を支持台４に対して展開収納可能に連結するテーブル移動装置１０と、を有する。テーブル移動装置１０は、テーブル本体５の一部を取手部５Ｄとして、テーブル本体５を支持台４の内部に取手部５Ｄまで収納した状態と、テーブル本体５を支持台４から引き出した展開状態と、の間で展開収納させる構成となっている。更に、乗物用テーブルＴａは、テーブル本体５を支持台４の外部から行われる操作によって上記収納状態と取手部５Ｄを支持台４の外部に突出させた一部突出状態との間で切り換えることのできる切換え装置２０を備える。【選択図】図３３
2015131531.tif 000002
【特許請求の範囲】
【請求項１】
乗物用テーブルであって、
物載せとなるテーブル本体と、
該テーブル本体をベースに対して展開収納可能に連結するテーブル移動装置と、を有し、
前記テーブル移動装置は、前記テーブル本体の一部を取手部として、前記テーブル本体を前記ベースに設けられた収納体の内部に前記取手部まで収納した状態と、前記テーブル本体を前記収納体から引き出した展開状態と、の間で展開収納させる構成となっており、
更に、前記テーブル本体を前記収納体の外部から行われる操作によって前記収納状態と前記取手部を前記収納体の外部に突出させた一部突出状態との間で切り換えることのできる切換え装置を備えることを特徴とする乗物用テーブル。
【請求項２】
請求項１に記載の乗物用テーブルであって、
前記テーブル本体は、斜め下がり方向の回転により傾斜した姿勢状態で前記収納体の内部に収納される構成とされ、
前記切換え装置は、前記ベースに設けられており、前記テーブル本体を収納方向に押し込む操作によって前記テーブル本体を前記収納状態まで受け入れられる凹状態となり、再度の押し込み操作によって前記テーブル本体を前記一部突出状態まで押し出すことのできる凸状態となる、オルタネート動作式のスイッチ構造となっていることを特徴とする乗物用テーブル。
【請求項３】
請求項１又は請求項２に記載の乗物用テーブルであって、
前記テーブル本体は、一端が前記テーブル移動装置に連結されて片持ち状に支えられた構成となっており、前記収納状態時に他端に前記切換え装置が下方側からあてがわれることで前記ベースに対して両端支持状態で支えられる構成となっていることを特徴とする乗物用テーブル。
【発明の詳細な説明】
【技術分野】
【０００１】
本発明は、乗物用テーブルに関する。詳しくは、乗物用シートの着座者に供される乗物用テーブルに関する。
【背景技術】
【０００２】
従来、車両用シートにおいて、テーブルが出し入れ可能に設けられた技術が知られている（特許文献１）。上記テーブルは、車両用シートの両側部に設けられたアームレストのうちの一方に対して出し入れできるように設けられており、その不使用時には、上記一方のアームレスト内の収納空間内に収納されるようになっている。上記テーブルは、上記収納空間内に収納された状態からは、同収納空間内に手を入れて、収納空間内のテーブルの一部に形成された引掛け孔に指を掛け入れることにより、テーブルを収納空間から簡便に引き出せるようになっている。
【先行技術文献】
【特許文献】
【０００３】
【特許文献１】特開２０１１−２１７８４５号公報
【発明の概要】
【発明が解決しようとする課題】
【０００４】
しかし、上記従来技術では、テーブルを収納空間から引き出すために収納空間内に手を入れなければならず、操作性が悪い。本発明は、上記問題を解決するものとして創案されたものであって、本発明が解決しようとする課題は、テーブルの収納性と展開操作性との両立を図ることにある。
【課題を解決するための手段】
【０００５】
上記課題を解決するために、本発明の乗物用テーブルは次の手段をとる。
第１の発明は、乗物用テーブルであって、物載せとなるテーブル本体と、テーブル本体をベースに対して展開収納可能に連結するテーブル移動装置と、を有する。テーブル移動装置は、テーブル本体の一部を取手部として、テーブル本体をベースに設けられた収納体の内部に取手部まで収納した状態と、テーブル本体を収納体から引き出した展開状態と、の間で展開収納させる構成となっている。更に、乗物用テーブルは、テーブル本体を収納体の外部から行われる操作によって上記収納状態と取手部を収納体の外部に突出させた一部突出状態との間で切り換えることのできる切換え装置を備える。
【０００６】
この第１の発明によれば、切換え装置により、テーブル本体を収納体の内部に取手部までコンパクトに収納した状態と、取手部を収納体の外部に突出させた展開操作が可能な一部突出状態と、に切換えることが可能となる。これらの切換え操作は、収納体の外部から行われる操作によって簡便に行うことができる。したがって、テーブル本体の収納性を高めつつ、テーブル本体の展開操作性も向上させることができる。
【０００７】
第２の発明は、上述した第１の発明において、次の構成とされているものである。テーブル本体は、斜め下がり方向の回転により傾斜した姿勢状態で収納体の内部に収納される構成とされている。切換え装置は、ベースに設けられており、テーブル本体を収納方向に押し込む操作によってテーブル本体を収納状態まで受け入れられる凹状態となり、再度の押し込み操作によってテーブル本体を上記一部突出状態まで押し出すことのできる凸状態となる、オルタネート動作式のスイッチ構造となっている。
【０００８】
この第２の発明によれば、上記斜め下がりに収納されるタイプのテーブル本体を、オルタネート動作式の単純構造の切換え装置によって、収納状態と一部突出状態とのそれぞれの状態に適切に切換えて、それぞれの状態に安定して保持することができる。すなわち、テーブル本体が斜め下がりに収納される重力作用によって、テーブル本体を収納状態と一部突出状態とのそれぞれの状態に安定して保持することができる。また、切換え装置によるテーブル本体の押し出し方向が斜め方向であるため、テーブル本体を収納状態から一部突出状態に向けて比較的軽い力で押し出すことができ、切換え装置の反発力を比較的弱く設定することができる。したがって、テーブル本体を一部突出状態から収納状態に押し込むために必要な力も比較的軽く済むようにすることができ、収納操作を更に簡便にすることができる。
【０００９】
第３の発明は、上述した第１又は第２の発明において、次の構成とされているものである。テーブル本体は、一端がテーブル移動装置に連結されて片持ち状に支えられた構成となっており、収納状態時に他端に切換え装置が下方側からあてがわれることでベースに対して両端支持状態で支えられる構成となっている。
【００１０】
この第３の発明によれば、テーブル本体を収納状態時に切換え装置によって他端を支えて両端支持状態とすることができ、切換え装置の構成を利用してテーブル本体を自重による曲げの負荷の少ない状態で支えることができる。
【図面の簡単な説明】
【００１１】
【図１】実施例１のテーブルの収納状態を示すシート全体の斜視図である。
【図２】テーブル本体を展開位置に引き出した状態を示す斜視図である。
【図３】テーブル本体を使用位置に落とし込んだ状態を示す斜視図である。
【図４】テーブル本体を広げた状態を示す斜視図である。
【図５】テーブル移動装置の分解斜視図である。
【図６】テーブル移動装置の要部の分解斜視図である。
【図７】テーブル本体と回転アームとを連結する構造部分の分解斜視図である。
【図８】テーブル移動装置の平面図である。
【図９】テーブル移動装置の側面図である。
【図１０】テーブル移動装置の正面図である。
【図１１】テーブル移動装置をシート前方内側から見た斜視図である。
【図１２】テーブル移動装置をシート後方外側から見た斜視図である。
【図１３】テーブル本体を展開させた状態を示すテーブル移動装置の平面図である。
【図１４】図９のXIV-XIV線断面図である。
【図１５】図９のXV-XV線断面図である。
【図１６】図９のXVI-XVI線断面図である。
【図１７】図９のXVII-XVII線断面図である。
【図１８】図９のXVIII-XVIII線断面図である。
【図１９】図９のXIX-XIX線断面図である。
【図２０】スライド機構の分解斜視図である。
【図２１】スライド機構の平面図である。
【図２２】図２１のXXII-XXII線断面図である。
【図２３】図２１のXXIII-XXIII線断面図である。
【図２４】図２１のXXIV-XXIV線断面図である。
【図２５】テーブル本体の分解斜視図である。
【図２６】回転アームの分解斜視図である。
【図２７】テーブル本体の回転アームに対する回転動作を示す側面図である。
【図２８】図２７のXXVIII-XXVIII線断面図である。
【図２９】ガイドプレートのガイド構造を示す平面図である。
【図３０】ロックプレートのロック構造を示す断面図である。
【図３１】テーブル本体がプッシュ操作によって一部突出状態に切換えられた状態を示す斜視図である。
【図３２】テーブル本体がプッシュ操作によって収納状態に切換えられる様子を示す模式図である。
【図３３】テーブル本体がプッシュ操作によって一部突出状態に切換えられる様子を示す模式図である。
【図３４】切換え装置の分解斜視図である。
【図３５】同他方側から見た分解斜視図である。
【図３６】切換え装置の凹状態を示す斜視図である。
【図３７】切換え装置のプッシュ操作状態を示す斜視図である。
【図３８】切換え装置の凸状態を示す斜視図である。
【図３９】切換え装置がプッシュ操作によって凹状態に切換えられる様子を示す模式図である。
【図４０】切換え装置がプッシュ操作によって凸状態に切換えられる様子を示す模式図である。
【図４１】他の実施例のテーブルの概略構造を示す図であり、（ａ）テーブル本体の収納状態、（ｂ）テーブル本体の使用状態である。
【発明を実施するための形態】
【００１２】
以下に、本発明を実施するための形態について、図面を用いて説明する。
【実施例１】
【００１３】
始めに、実施例１のテーブルＴａが適用されたシート１の構成について、図１〜図４０を用いて説明する。本実施例のシート１は、図１に示すように、鉄道車両に搭載される１人掛け用の座席として構成されている。上記シート１は、着座者の背凭れとなるシートバック２と、着座部となるシートクッション３と、肘置きなるアームレスト４Ａを上面部に有する支持台４と、を備えた構成となっている。
【００１４】
上記支持台４は、シートクッション３の左右両隣に設けられており、それぞれ、シートクッション３よりも高い位置まで張り出す縦長な箱型形状に形成されていて、シートクッション３の各側部に一体的に結合されて設けられている。上記各支持台４の上面部には、クッション材が内装されていて、着座者の両肘を適度な柔らかさで支えることができるアームレスト４Ａが形成されている。そして、上記各支持台４のうち、着座者から見て左側となる紙面向かって右側に示された支持台４の内部には、着座者が適時に自身の前側の位置まで展開させて使用することのできるテーブルＴａが、２つ折りに畳まれた状態として収納されている。
【００１５】
上記テーブルＴａは、図５に示すように、物載せとして使用可能なテーブル本体５と、テーブル本体５を支持台４に対して展開収納させられる状態に連結するテーブル移動装置１０と、テーブル本体５をプッシュ操作によって支持台４の内部に完全に収めた状態と一部（取手部５Ｄ）を支持台４の外部に突出させた状態とに切換えることのできる切換え装置２０と、を有する構成となっている。ここで、上記支持台４が本発明の「ベース」及び「収納体」に相当する。
【００１６】
上記テーブル本体５は、図１に示すように、その不使用時には、上述した支持台４の内部にてシート前後方向に長尺な向きとされて２つ折りされた状態に収納された状態とされている。詳しくは、上記テーブル本体５は、上記の収納状態では、外斜め下向きに傾けられた姿勢で収納された状態とされており、支持台４のシート内側の側面部に開口するスリット４Ｂに面一状に臨んだ状態として保持されるようになっている。
【００１７】
上記テーブル本体５は、上記の収納状態から、図３１及び図３３に示すように、そのスリット４Ｂ内に面一状に臨む前端側の横側部（取手部５Ｄ）をスリット４Ｂ内に押し込むように操作することにより、支持台４の内部に設けられたオルタネート動作式のスイッチ構造を持つ切換え装置２０によって、上記押し込まれた横側部（取手部５Ｄ）がスリット４Ｂの外部に突出するように押し返されて外部に露出した状態（一部突出状態）に切り換えられるようになっている（図３８参照）。そして、上記テーブル本体５は、上記取手部５Ｄが突出した状態から、図２に示すように、着座者が取手部５Ｄを掴んでシート内側前方に引き込むように操作することにより、全体が支持台４の外部に引き出されて着座者の前側の位置に展開されるようになっている。
【００１８】
詳しくは、上記テーブル本体５は、上記の引き込み操作により、上述した支持台４の内部から、シート内側前方に向けて斜め上がりの円弧を描くように引き出されて、着座者の前側の位置に横向きに傾いた姿勢状態で展開されるようになっている。そして、上記テーブル本体５は、上記の展開操作が係止される位置まで引き出されることにより、自重によって図３に示す水平姿勢の使用位置まで落とし込まれるようになっている。
【００１９】
上記の落ち込みにより、テーブル本体５は、その落とし込まれた先の先端部分が、図示向かって左側（着座者から見て右側）の支持台４の一部に乗り上がった状態となり、左右両側の支持台４により支えられて水平姿勢の使用位置に保持された状態となる。そして、この落ち込みにより、テーブル本体５は、上述した支持台４の内部に向けての収納回転がロックされた状態となり、その２つ折りされた上側のテーブル片５Ａを小物置きとして使用することができる状態となる。
【００２０】
また、上記テーブル本体５は、上記図３に示す使用位置の状態から、その２つ折りされた上側のテーブル片５Ａを下側のテーブル片５Ｂから前側へ開くように操作することにより、図４に示すように２枚のテーブル片５Ａ，５Ｂを前後に面一状に広げた状態に展開することができるようになっている。このように展開することにより、テーブル本体５は、面一状に広げられた各テーブル片５Ａ，５Ｂを広く小物置きとして使用することができる状態となる。
【００２１】
また、上記テーブル本体５は、上記水平姿勢とされた使用位置の状態では、着座者がテーブル本体５を前後に押し引きすることにより、その配置を前後に調整することができるようになっている。上記テーブル本体５の使用位置の調整範囲は、テーブル本体５が図１の収納位置から図２の展開位置に引き出されて図３の使用位置に落とし込まれた状態位置から、前方側の一定範囲まで（図２９で後述する使用領域内）となっている。このテーブル本体５の使用位置の調整操作は、テーブル本体５が図３のように２つ折りされた状態からでも図４のように開かれた状態からでも行えるようになっている。
【００２２】
上記テーブル本体５の使用位置の調整移動は、テーブル本体５を図１の収納位置と図２の展開位置との間で展開収納させるテーブル移動装置１０のスライド機構１０Ａによって行われる。すなわち、上記スライド機構１０Ａは、テーブル本体５を図１の収納位置と図２の展開位置との間の展開収納領域において前後方向に移動させるためのものとして機能する他、テーブル本体５を図３〜図４の使用位置に展開させた後の位置調整のために前後方向に移動させるためのものとしても機能するようになっている。
【００２３】
上記スライド機構１０Ａは、テーブル本体５を図１の収納位置と図２の展開位置との間の展開収納領域内で移動させる時には、後述するテーブル本体５を幅方向に回転させる幅方向の回転機構１０Ｂと連動して動くようになっている。また、スライド機構１０Ａは、テーブル本体５を図３〜図４の使用位置に展開させた後の使用領域内で移動させる時には、他の機構と連動することなく、単独で動いてテーブル本体５を前後方向に真っ直ぐに移動させることができるようになっている。上記スライド機構１０Ａがテーブル本体５を水平姿勢に落とし込んだ状態で動作することのできる前後方向の移動範囲は、図２９で後述するガイド孔１９Ｂによるカムフォロア１８Ｃの移動規制構造によって、「使用領域」として設定された一定の範囲内に規制されるようになっている。上記スライド機構１０Ａは、上記使用領域内においてテーブル本体５が前後方向に押し引きされた各位置にて、その摺動摩擦抵抗により位置保持されるようになっている。
【００２４】
上記テーブル本体５は、上記使用位置に展開された状態から、これを元の支持台４の内部に収納した状態に戻すには、上述した展開操作とは逆の手順でテーブル本体５を収納方向に移動させていけばよい。具体的には、先ず、テーブル本体５が図４のように広げられた状態となっている時には、これを図３のように２つ折りの状態に戻す。次に、テーブル本体５を持ち上げて、図２で前述した斜め上がりに傾けた展開位置の状態にする。そして、更にそこからテーブル本体５を支持台４の内部に向けて押し込むように操作する。これにより、テーブル本体５が、シート外側後方に斜め下がりの円弧を描くように押し込まれていき、図１のように支持台４の内部に外斜め下向きに傾けられた元の姿勢で収納された状態となる。
【００２５】
このとき、上記テーブル本体５は、その収納方向の移動が係止される位置まで行われても、前述した切換え装置２０がテーブル本体５をスリット４Ｂの外部に押し出す状態のままとなっているために、その前端側の横側部（取手部５Ｄ）のみが一部、支持台４の内部に収められていない状態としてとどめられるようになっている。したがって、上記テーブル本体５を上記のように収納方向の移動が係止される位置まで移動させた後、最後にその一部突出した状態として残される横側部をスリット４Ｂ内に押し込むように操作するようにする。これにより、図３２に示すように、支持台４内部の切換え装置２０がテーブル本体５に押されてテーブル本体５を受け入れ可能な凹状態（図３６）に切り換えられて、テーブル本体５が支持台４の内部に完全に収められた収納状態となって保持される。
【００２６】
上述したテーブル本体５を図３〜図４の使用位置から図１の収納位置に戻す操作は、テーブル本体５が使用領域におけるどの位置に調整された状態からであっても、同じような操作感で簡単に行うことができるようになっている。具体的には、上記テーブル本体５は、使用領域におけるどの位置に調整された状態からであっても、上記のようにテーブル本体５を持ち上げて、支持台４の内部に向けて押し込むように操作すればよい。このような操作により、テーブル本体５は、使用領域におけるどの位置からの操作であっても、その収納方向への回転移動に伴って、或いはスライド移動に伴って、支持台４の内部に向けて幅方向に回転しながら後方側へスライドするように移動が案内されるようになっている。したがって、テーブル本体５を同じ操作感で収納操作することができる。
【００２７】
このように、本実施例のテーブルＴａは、テーブル本体５を図１の収納位置と図２の展開位置との間で展開収納させる際や、テーブル本体５を図３〜図４の使用位置から図１の収納位置に戻す際に、テーブル移動装置１０のスライド機構１０Ａと幅方向の回転機構１０Ｂとが連動して動くようになっている。これにより、テーブル本体５を単に特定方向に押し引きするのみの簡単な操作によって、テーブル本体５を前後方向に直線運動させつつ幅方向にも回転運動させることができ、上述した大きな移動範囲を少ない移動スペースで効率的に動かすことができるようになっている。
【００２８】
以下、上述したテーブル本体５と、テーブル本体５を展開収納したり位置調整したりするテーブル移動装置１０と、テーブル本体５をプッシュ操作によって支持台４の内部に完全に収めた状態と一部（取手部５Ｄ）を外部に突出させた状態とに切換える切換え装置２０と、のそれぞれの構成について、具体的に詳しく説明していく。なお、以下の説明中、テーブル本体５の位置について、「収納位置」と表現する時には、テーブル本体５が図１のように支持台４の内部に完全に収納された状態を表し、「一部突出位置」と表現する時には、図３１のようにテーブル本体５の一部（取手部５Ｄ）が支持台４の外部に突出した状態を表し、「展開位置」と表現する時には、テーブル本体５が図２のように右肩上がりの姿勢に展開された状態を表し、「使用位置」と表現する時には、テーブル本体５が図３のように水平姿勢に落とし込まれた状態を表す。また、テーブル本体５の移動領域について、「展開収納領域」と表現する時には、テーブル本体５が図１の収納位置と図２の展開位置との間の移動領域を表し、「使用領域」と表現する時には、テーブル本体５が図３の使用位置に展開されて前後方向に位置調整可能とされる領域を表している。
【００２９】
先ず、テーブル本体５の構成について説明する。テーブル本体５は、図３〜図５、図７及び図２５に示すように、互いにほぼ同じ大きさとなる２枚の長尺な樹脂板から成るテーブル片５Ａ，５Ｂがヒンジ部５Ｃによって互いに短手方向に開閉可能となるように連結された構成となっている。これにより、テーブル本体５は、上記２つのテーブル片５Ａ，５Ｂを互いに２つ折り状に畳んだ状態（図３参照）と、短手方向に面一状に広げた状態（図４参照）と、の２つの状態に切り換えられるようになっている。
【００３０】
上記テーブル本体５は、図３〜図４で前述したように、着座者の前側の位置に水平姿勢の状態に展開されて使用される時には、上記２つ折りされた状態（図３参照）と、上側のテーブル片５Ａを下側のテーブル片５Ｂから前側に広げた状態と、の２つの状態に切り換えて小物置きとして使用することができるようになっている。上記テーブル本体５は、上記上側のテーブル片５Ａを下側のテーブル片５Ｂから前側に広げることにより、互いのヒンジ部５Ｃによって連結された側の縁部同士が当接して面一状に広げられた状態で係止されるようになっている。
【００３１】
上述したテーブル本体５は、図５、図７、図１４〜図１８に示すように、厳密には、その２つ折りされた時に上側にくるテーブル片５Ａが、下側のテーブル片５Ｂよりもひとまわり大きく外周側に張り出す張出し部５Ａ３を有した形状とされている。上記張出し部５Ａ３は、上側のテーブル片５Ａのシート内側の一辺とこれに隣接する二辺とに亘って連続的に広く形成されており、その張り出した各面が、それぞれ下向きに傾斜した傾斜面５Ａ４となって形成されている。また、下側のテーブル片５Ｂの上記各傾斜面５Ａ４の下側に位置する各縁面も、それぞれ、各傾斜面５Ａ４と面一状となるように傾斜した傾斜面５Ｂ３となって形成されている。
【００３２】
上記各傾斜面５Ａ４，５Ｂ３により、上側のテーブル片５Ａの張出し部５Ａ３の張り出しによって形成される、下側のテーブル片５Ｂの縁面との間の段差が緩められて、互いの縁面が面一状に見栄え良く仕上げられた状態とされている。そして、上記上側のテーブル片５Ａの張出し部５Ａ３が、下側のテーブル片５Ｂの縁面よりも外周側に張り出した形状となっていることにより、着座者が２つ折りされたテーブル本体５の手前側の縁面、或いは左右いずれかの縁面に手を掛ける（触れさせる）ことにより、上側のテーブル片５Ａの縁面（張出し部５Ａ３）のみに手を触れさせた状態として、上側のテーブル片５Ａの開き操作を簡便に行うことができるようになっている。また、上述したテーブル本体５のスリット４Ｂ内に臨む各傾斜面５Ａ４，５Ｂ３は、テーブル本体５が支持台４の内部に外斜め下向きに傾けられて収められた収納位置状態では、支持台４の内側面４Ｃと面一状の面を成した状態として、スリット４Ｂ内を見栄え良く覆い隠した状態に配設されるようになっている（図１４〜図１８参照）。
【００３３】
次に、図５等を参照しながら、テーブル移動装置１０の構成について説明する。テーブル移動装置１０は、テーブル本体５を支持台４に対してシート前後方向にスライドさせるスライド機構１０Ａと、テーブル本体５を支持台４に対してシート幅方向に回転移動させる幅方向の回転機構１０Ｂと、テーブル本体５を支持台４に対して高さ方向に回転移動させる高さ方向の回転機構１０Ｃと、を有する構成となっている。
【００３４】
上述したテーブル移動装置１０は、テーブル本体５を図１の収納位置と図２の展開位置との間で移動させる展開収納領域では、上述したスライド機構１０Ａと幅方向の回転機構１０Ｂとが互いに連動して動くようになっている。これにより、テーブル移動装置１０は、テーブル本体５を支持台４内部の収納位置（図１参照）と着座者の前側の展開位置（図２参照）との間で効率的に小さな移動スペースで展開収納させられるようになっている。
【００３５】
また、テーブル移動装置１０は、上記テーブル本体５を支持台４内部の収納位置から図２の展開位置まで移動させることにより、高さ方向の回転機構１０Ｃが動作することのできる状態に切り換えられて、テーブル本体５を図２の斜め姿勢の展開位置状態から図３の水平姿勢の使用位置状態まで落とし込むことができる状態となる。したがって、テーブル本体５を上記図３の使用位置状態まで落とし込むことにより、テーブル本体５を小物置きとして使用することのできる状態とすることができる。上記テーブル移動装置１０は、上記のようにテーブル本体５を高さ方向の回転機構１０Ｃによって水平姿勢の使用位置まで落とし込むことにより、前述した幅方向の回転機構１０Ｂが動作不能な状態に切り換えられて、テーブル本体５が不用意に収納位置に向けて回されることがないように幅方向の移動をロックした状態に保持することができるようになっている。
【００３６】
また、テーブル移動装置１０は、上記のようにテーブル本体５を図３の使用位置に切り換えた状態となっても、スライド機構１０Ａは動作することのできる状態に保たれるようになっている。具体的には、スライド機構１０Ａは、テーブル本体５が上記図２の展開位置から図３の使用位置に落とし込まれた状態に切り換えられることにより、その位置より後側へのスライドは規制されるものの、前側へのスライドは一定範囲までの間で許容されるようになっている。したがって、このスライド機構１０Ａが前後方向にスライド可能とされる範囲によって、テーブル本体５の使用位置を前後方向に調整することができるようになる。
【００３７】
以下、上述したテーブル移動装置１０の各部材の構成について説明する。テーブル移動装置１０は、図５に示すように、大きく分けて、固定フレーム１１と、レール１２と、スライダ１３と、ヘルパ１４と、巻取装置１５と、ベースプレート１６と、スタッドボルト１６Ｄと、ロックプレート１７と、回転アーム１８と、ガイドプレート１９と、によって構成されている。固定フレーム１１は、支持台４の内部に一体的に固定されて設けられている。レール１２は、固定フレーム１１に一体的に固定されて設けられている。スライダ１３とヘルパ１４は、それぞれ、レール１２に対して前後方向にスライド可能な状態に組み付けられて設けられている。巻取装置１５は、ヘルパ１４に巻き取り力をかけてヘルパ１４を介してスライダ１３に展開方向の附勢力をかける構成となっている。上述したスライダ１３がレール１２に対して前後方向にスライドする機構により、テーブル本体５を支持台４に対して前後方向に移動させるスライド機構１０Ａが構成されている。
【００３８】
ベースプレート１６は、スライダ１３の上部に一体的に固定されて設けられている。ロックプレート１７は、回転アーム１８の回転をテーブル本体５の展開位置でロックできるようにするための部品となっており、ベースプレート１６に対して回転方向の取り付け位置を調整できる状態に取り付けられている（調整機構１０Ｄ）。回転アーム１８は、スタッドボルト１６Ｄを介してベースプレート１６に回転可能に軸連結されて設けられており、その先端部にテーブル本体５が高さ方向に首振り運動可能に連結された状態とされている。上記回転アーム１８がベースプレート１６に対して幅方向に回転する機構により、テーブル本体５を支持台４に対して幅方向に回転させる幅方向の回転機構１０Ｂが構成されている。
【００３９】
また、上記テーブル本体５が回転アーム１８に対して高さ方向に首振り運動可能に連結された機構により、上述したテーブル本体５を支持台４に対して高さ方向に回転させる高さ方向の回転機構１０Ｃが構成されている。ガイドプレート１９は、レール１２に一体的に固定されて設けられており、その上面部に形成されたガイド孔１９Ｂにより回転アーム１８に取り付けられたカムフォロア１８Ｃの移動を案内することにより、テーブル本体５が所定の経路を通って移動するように回転アーム１８の移動とスライダ１３の移動とを相互に連携させる（連動させる）ようになっている。
【００４０】
次に、上記登場した各部材の具体的な構成について更に詳しく説明していく。固定フレーム１１は、図５に示すように、シート前後方向に長尺な一枚のアルミ合金材が短手方向に略Ｕ字状の形に折り曲げられて形成されている。上記固定フレーム１１は、その底面が支持台４内部の構成フレームにあてがわれて一体的に締結されて固定された状態とされている（図１４〜図１９参照）。詳しくは、上記固定フレーム１１のＵ字状に折り曲げられた横断面形状は、図１４、図１７〜図１９に示すように、シート上方側に面を向ける底面部と、底面部のシート外側（図示左側）の縁部からシート外側上方に斜めに起立するように折り曲げられた外側傾斜起立面部１１Ｘと、底面部のシート内側（図示右側）の縁部から上方側に真っ直ぐ起立するように折り曲げられた内側垂直起立面部１１Ｙと、同内側垂直起立面部１１Ｙからシート外側上方に斜めに起立するように折り曲げられた内側傾斜起立面部１１Ｚと、を有する横断面形状に形成されている。
【００４１】
上記固定フレーム１１の外側傾斜起立面部１１Ｘと内側傾斜起立面部１１Ｚとは、互いに並行に延びた形に形成されている。そして、図５及び図１０に示すように、上記固定フレーム１１の内側垂直起立面部１１Ｙには、そのシート内側の側面に、断面クランク形状に折り曲げられたアルミ合金製の第１ガイドブラケット１１Ａの下側の側片があてがわれて複数のボルト１１Ａ１により一体的に締結された状態とされている。そして、上記第１ガイドブラケット１１Ａのシート内側上方に段差状に張り出した上側の側片には、更に、シート上方側に真っ直ぐに延びる横断面形状を有したアルミ合金製の第２ガイドブラケット１１Ｂの下側の側片があてがわれて複数のボルト１１Ｂ１により一体的に締結された状態とされている。更に、上記第２ガイドブラケット１１Ｂの上側の縁部には、樹脂製のガイドキャップ１１Ｃが一体的に装着された状態とされている。
【００４２】
上述した第１ガイドブラケット１１Ａ、第２ガイドブラケット１１Ｂ及びガイドキャップ１１Ｃは、図５に示すように、それぞれ、固定フレーム１１の形状に沿ってシート前後方向に長尺状に延びる形に形成されており、上記ガイドキャップ１１Ｃを固定フレーム１１のシート前後方向の広い範囲に亘って固定フレーム１１よりも高い位置に配置させた状態となっている。上記ガイドキャップ１１Ｃは、テーブル本体５の自重による撓みを抑えるための支持部材として機能するものとなっている。
【００４３】
具体的には、上記ガイドキャップ１１Ｃは、テーブル本体５の裏面部に筋状に突出して形成されたリブ５Ｂ４に下方側からあてがわれることで、リブ５Ｂ４だけと接触する少ない接触面積でテーブル本体５を下方側から強く支持することができるようになっている。上記ガイドキャップ１１Ｃによるテーブル本体５の撓み防止により、テーブル本体５からスライド機構１０Ａに入力される横曲げの負荷（モーメントＭ：図１０参照）が低減されて、スライド機構１０Ａの摺動抵抗を増大させることなくテーブル本体５を円滑に展開収納させることができるようになっている。
【００４４】
レール１２は、シート前後方向に長尺な横断面Ｈ字状のアルミ合金材によって形成されており、そのＨ字の両脚部を成す各面部を上述した固定フレーム１１の外側傾斜起立面部１１Ｘと内側傾斜起立面部１１Ｚとにそれぞれあてがえて複数のボルト１２Ａによって一体的に締結することにより、固定フレーム１１に対してシート外側上方向きに斜めに傾けられた状態として一体的に結合された状態とされている（図１４参照）。上記レール１２は、その横断面Ｈ字状に形成された両肩側の端部が、それぞれ、互いに相反する両外側に折れ曲がるように延出した形に形成されており、これら両外側に延出した各縁部の形状によって、後述するスライダ１３やヘルパ１４を上方側に剥離させないように長手方向にスライド可能な状態に嵌め込んで組み付けられる構成となっている。
【００４５】
図１４に示すように、上述したレール１２のシート外側上方に斜めに面を向けるＨ字の中央の繋ぎ面部には、その長手方向の略中央の領域から後端部にかけて、スリット状に刳り貫かれて貫通する開口１２Ｂが形成されている（図２１〜図２２参照）。上記開口１２Ｂは、後述するヘルパ１４のスライド領域を一定範囲内（展開収納領域内）に規制するものとして機能するものであり、図２２に示すように、ヘルパ１４の下部に取り付けられたステー１４Ａ（図２０参照）がその内部に通されることで、ヘルパ１４の展開方向のスライドをステー１４Ａとの当接によって止める構成となっている。
【００４６】
図２０に示すように、スライダ１３は、横断面逆Ｕ字状のアルミ合金材によって形成されており、上述したレール１２に長手方向に嵌め込まれて組み付けられることにより、図１９に示すように横断面Ｈ字状のレール１２の両肩部を両外側から挟み込むようにレール１２に跨った状態に組み付けられている。詳しくは、上記スライダ１３は、図２０、図２１、及び図２３に示すように、その横断面逆Ｕ字の上面部の裏側部とシート内側の横側面部の裏側部とにそれぞれ金属製のベアリング１３Ａ，１３Ｂが２個ずつ設けられており、上記レール１２への組み付けによって、図１８に示すように、各ベアリング１３Ａ，１３Ｂが、レール１２の横断面Ｈ字の両肩部間と、シート内側の肩部と脚部とに形成されたシート内側に張り出す縁部間と、にそれぞれ前後方向に転動可能な状態に嵌め込まれて組み付けられている。
【００４７】
また、図１９に示すように、上記スライダ１３は、その横断面逆Ｕ字のシート外側の側面部の下端がシート内側に折れ曲がった形に形成されており、この折れ曲がった下端側の面部と上面部との間にレール１２の断面Ｈ字のシート外側の肩部のシート外側に張り出す縁部を高さ方向に挟み込んだ状態となるようにレール１２に組み付けられている。そして、上記レール１２のシート外側に張り出す縁部を高さ方向に挟み込むスライダ１３のシート外側の横側面部の下端側の面部と上面部とには、それぞれ、樹脂製のガタ詰め部材となる樹脂シュー１３Ｃが一体的に結合されて設けられている。
【００４８】
上記各樹脂シュー１３Ｃは、上記レール１２のシート外側に張り出す縁部に高さ方向の両側からあてがわれて同縁部を高さ方向に挟み込んだ状態となっている。これら樹脂シュー１３Ｃにより、スライダ１３がレール１２に対して高さ方向に高精度にガタ詰めされながらも、樹脂の摺動性により円滑にスライドすることができるようになっている。上述した各樹脂シュー１３Ｃは、図２０に示すように、それぞれ、スライダ１３と同じ前後方向の長さを有した細長い板状の形に形成されており、上述したスライダ１３の各面部に一体的に接合されて固定されると共に、その長手方向の両端部がスライダ１３の両端部にボルト締結されて装着されるカバー１３Ｄによって前後方向の両端側からあてがわれて固定されることにより、スライダ１３に対して強固に一体的に結合された状態とされている。
【００４９】
また、上記スライダ１３は、上述した各ベアリング１３Ａ，１３Ｂを介した組み付けにより、レール１２に対してスライド方向に円滑に移動することができるようになっていると共に、スライダ１３からシート内側に張り出した姿勢となるテーブル本体５（図１３参照）を片持ち状に支持することに伴うレール１２まわりの横曲げの負荷（モーメントＭ）を受けても、レール１２に対する摺動摩擦力を大きく増大させることなく円滑にスライドすることができるようになっている。具体的には、上述したスライダ１３は、その上面部に組み付けられたテーブル本体５を、展開時にシート外側から片持ち状に支持する構成となっており、この片持ち支持によってスライダ１３にかけられる横曲げの負荷（モーメントＭ）を、上述した金属製の各ベアリング１３Ａ，１３Ｂの強度によってレール１２に対して強く受け止めさせられるようになっている。
【００５０】
より詳しく説明すると、図２３に示すように、スライダ１３は、テーブル本体５（図１３〜図１４参照）をシート外側から片持ち支持することにより、レール１２の延びる前後方向を軸とした図示時計回り方向に作用する横曲げの負荷（モーメントＭ）を受けて、テーブル本体５に近い側の横側面部とレール１２との当接部において、特に強い圧縮方向の負荷を受けるようになる。しかし、スライダ１３は、上記圧縮方向の強い負荷を受けるテーブル本体５に近い側の横側面部とレール１２との当接部が構造強度の高い金属製のベアリング１３Ｂによって構成されていることにより、上記の負荷を強く受け止められるようになっている。
【００５１】
また、スライダ１３は、上記テーブル本体５を片持ち支持することにより受ける横曲げの負荷（モーメントＭ）を、レール１２のＨ字の両肩部の間に嵌め込まれたベアリング１３Ａがレール１２に対して幅方向に押し当てられることによっても強く受け止められるようになっている。このように、スライダ１３は、そのテーブル本体５を片持ち支持することにより受ける横曲げの負荷（モーメントＭ）を強く受ける部分に上記のような構造強度の高い金属製のベアリング１３Ａ，１３Ｂが配設されていることにより、樹脂シュー１３Ｃの配設領域にかけられる負荷を軽減して、テーブル本体５から横曲げの負荷を受けた状態においてもレール１２に対して円滑にスライドすることができる構成となっている。
【００５２】
図２０〜図２２に示すように、ヘルパ１４は、上記スライダ１３と共にレール１２に対して長手方向にスライド可能な状態に組み付けられており、後述する巻取装置１５から受ける巻き取り方向の附勢力によって、スライダ１３に対して常時、一定の範囲内でシート前方側にスライドさせる展開方向のアシスト力をかける構成となっている。具体的には、上記ヘルパ１４は、上記スライダ１３がテーブル本体５を図１の収納位置と図２の展開位置との間の展開収納領域内で移動させる時には、スライド１３に対して展開方向のアシスト力を作用させ、スライダ１３がテーブル本体５を図３の使用位置に落とし込んだ先の使用領域内で移動させる時には、スライダ１３に対して展開方向のアシスト力を作用させないように、レール１２に対する移動が一定の範囲内に規制された状態とされている。
【００５３】
具体的には、図２２に示すように、上記ヘルパ１４は、その下部に取り付けられたステー１４Ａが、前述したレール１２に形成された開口１２Ｂ内に通された状態としてレール１２に組み付けられており、上記ステー１４Ａがレール１２の開口１２Ｂ内を移動して開口１２Ｂの前端部に当接して係止される位置まで、レール１２に対して前方側にスライドすることができるようになっている。上記ヘルパ１４は、上記レール１２に対して前後方向にスライド可能とされた範囲内において、スライダ１３に対して展開方向のアシスト力（押圧力）を後方側からかけられるようになっている。
【００５４】
上記ヘルパ１４は、図２０及び図２４に示すように、横断面逆Ｕ字状のアルミ合金材によって形成されており、上述したレール１２に長手方向に嵌め込まれて組み付けられることにより、前述したスライダ１３と同じように、横断面Ｈ字状のレール１２の両肩部を両外側から挟み込むようにレール１２に跨った状態に組み付けられた状態とされている。詳しくは、上記ヘルパ１４は、その横断面逆Ｕ字の左右の横側面部の下端が互いに内向する側に折れ曲がった形に形成されている。そして、上記ヘルパ１４は、これら折れ曲がった形の各下端部がレール１２の両肩部の両外側に張り出す各縁部に下方側から掛かった状態に組み付けられることにより、レール１２に対して剥離防止された状態に組み付けられた状態とされている。
【００５５】
そして、上記ヘルパ１４の上記レール１２の両肩部を高さ方向の両側から挟み込む上面部と左右両側の横側面部の下端側の折れ曲がった面部とには、それぞれ、樹脂製のガタ詰め部材となる樹脂シュー１４Ｂが一体的に結合されて設けられている。これら樹脂シュー１４Ｂは、上記レール１２の両肩部の両外側に張り出す各縁部に高さ方向の両側からあてがわれて同縁部を高さ方向に挟み込んだ状態とするようになっている。これら樹脂シュー１４Ｂにより、ヘルパ１４がレール１２に対して高さ方向に高精度にガタ詰めされながらも樹脂の摺動性により円滑にスライドすることができるように組み付けられた状態とされている。
【００５６】
上述した各樹脂シュー１４Ｂは、図２０に示すように、それぞれ、ヘルパ１４と同じ前後方向の長さを有した細長い板状の形に形成されており、上述したヘルパ１４の各面部に一体的に接合されて固定されると共に、その長手方向の両端部が、ヘルパ１４の両端部にボルト締結されて装着されるカバー１４Ｃによって前後方向の両端側からあてがわれて固定されることにより、ヘルパ１４に対して強固に一体的に結合された状態とされている。上記ヘルパ１４は、上記各樹脂シュー１４Ｂによってガタ詰めされた構成により、スライダ１３をシート後方側から適切に押圧して展開方向に移動させることができるようになっている。
【００５７】
上記ヘルパ１４によって展開方向のアシスト力を受けるスライダ１３は、図８に示すように、テーブル本体５が支持台４内部の収納位置に収納された状態では、スライダ１３の上部に連結された後述する回転アーム１８のカムフォロア１８Ｃがガイドプレート１９のガイド孔１９Ｂ内のロック溝１９Ｂ１内に掛け入れられるようになっている構成によって、シート前方側へのスライドが規制された状態に保持されるようになっている。また、上記スライダ１３は、図３１に示すように、上記支持台４のスリット４Ｂ内に面一状に臨むテーブル本体５の一部（取手部５Ｄ）を支持台４の内部に押し込んでテーブル本体５の一部（取手部５Ｄ）が支持台４の外部に突出した一部突出状態に切り換えられても、上記カムフォロア１８Ｃがロック溝１９Ｂ１内からは完全には外し出されず、シート前方側へのスライドが規制された状態に保持されるようになっている。
【００５８】
上記スライダ１３は、上記テーブル本体５が一部突出状態に切り換えられた後、テーブル本体５の一部突出した取手部５Ｄを着座者が掴んでシート内側に引き込むように操作することにより、上述したカムフォロア１８Ｃがロック溝１９Ｂ１内から完全に外し出されてシート前方側にスライドすることができる状態に切り換えられる。これにより、スライダ１３は、図２９に示すように、上述したヘルパ１４からのアシスト力を受けて前方側にスライドすることのできる状態となる。なお、スライダ１３は、テーブル本体５がプッシュ操作によって一部突出状態に切り換えられることにより、図８で上述したカムフォロア１８Ｃがガイド孔１９Ｂのロック溝１９Ｂ１から完全に外し出されてシート前方側にスライドすることのできる状態となる構成となっているものであってもよい。
【００５９】
上記スライダ１３は、図２２に示すように、上記ヘルパ１４によるアシスト力がかけられる展開収納領域の終端位置（テーブル本体５の展開位置）までスライドすることにより、ヘルパ１４からのアシスト力を受けなくなる状態となり、その位置でレール１２との摺動摩擦により係止されるようになっている。そして、スライダ１３は、上記展開収納領域を越えた先の、テーブル本体５が水平姿勢に落とし込まれて使用される使用領域では、着座者がテーブル本体５を前後方向に押し引きする手動操作によって、適宜位置に動かされて、その動かされた各位置でレール１２との摺動摩擦によって係止されるようになっている。
【００６０】
巻取装置１５は、図５及び図９〜図１２に示すように、上述したヘルパ１４に接続されてヘルパ１４にバネ力による巻取方向の附勢力をかけるワイヤ１５Ａを備えた構成となっている。上記巻取装置１５は、支持台４内部の固定フレーム１１の前端側の下方部に離間した位置で図示しないフレーム材に固定されて設けられており、そこから繰り出されたワイヤ１５Ａが、レール１２の底部と固定フレーム１１との間を通って配索されて（図１６〜図１９参照）、その先の端部がボルト１５Ｂによってヘルパ１４のステー１４Ａの底部に結合された状態とされている。これにより、上記巻取装置１５がワイヤ１５Ａにかけている巻き取り方向の附勢力が常時ヘルパ１４に掛けられた状態として、ヘルパ１４が常時シート前方側に動かされる附勢力を受けた状態とされている。
【００６１】
ベースプレート１６は、図５に示すように、厚板状のアルミ合金材によって形成されており、上述したスライダ１３の上面部にあてがわれて複数のボルト１６Ｃにより一体的に締結されて固定された状態とされている。上記ベースプレート１６には、後述する回転アーム１８の回転軸として機能するスタッドボルト１６Ｄがその上面側から組み付けられて、ベースプレート１６の底面側から通されたボルト１６Ｄ１により強固に一体的に締結されて固定された状態とされている。
【００６２】
上記スタッドボルト１６Ｄは、上述したベースプレート１６上からシート上方側にその段付き形状の軸部が突出して設けられた状態とされており、同軸部にロックプレート１７と回転アーム１８とが軸方向に挿通された後、更にブッシュ１６Ｅが通されてナット１６Ｆが螺合締結されることにより、ロックプレート１７と回転アーム１８とをそれぞれ軸回転可能な状態に組み付けた状態とされている。上記ロックプレート１７は、後述するように、ベースプレート１６に対して回転方向に一体的に取り付けられるようになっているが、後述する調整機構１０Ｄによって、そのベースプレート１６に対する回転方向の取り付け位置が調整できるようになっている。
【００６３】
上述したベースプレート１６の上面部には、回転アーム１８の展開方向の回転移動を展開位置にて係止することのできるストッパ１６Ａと、後述するロックプレート１７の回転方向の組み付け位置を調整するための調整ボルト１６Ｂ１が螺合される２つの螺合部１６Ｂと、が形成されている。後者の各螺合部１６Ｂは、ベースプレート１６のシート外側の縁部にそれぞれ設けられており、各螺合部１６Ｂにシート外側から調整ボルト１６Ｂ１が螺合されて、各調整ボルト１６Ｂ１の螺合位置の調整により、各調整ボルト１６Ｂ１の螺合した先に突出する軸部の突出長さを変えられるようになっている。
【００６４】
また、上記ベースプレート１６のシート内側の側面部には、ベースプレート１６及びスライダ１３の側面部を覆う樹脂製のサイドカバー１６Ｇが複数のボルト１６Ｇ１によって一体的に締結されている。また、上記ベースプレート１６のシート上側の面部には、ベースプレート１６の上面部に組み付けられる回転アーム１８を上面側から覆うアルミ合金製のアッパカバー１６Ｈが複数のボルト１６Ｈ１により一体的に締結されている。上記各ボルト１６Ｈ１は、それらのアッパカバー１６Ｈとベースプレート１６との間に通される各軸部にスペーサ１６Ｈ２が通されており、これらスペーサ１６Ｈ２を介した取り付けにより、アッパカバー１６Ｈを回転アーム１８に押し付けることなく回転アーム１８から浮かした状態に固定した状態となっている。
【００６５】
ロックプレート１７は、略扇形状にカットされた板状のアルミ合金材によって形成されており、上述したベースプレート１６に締結されたスタッドボルト１６Ｄに通されてベースプレート１６上に重ね合わされた状態に組み付けられている。これにより、ロックプレート１７は、上記スタッドボルト１６Ｄを中心に軸回転することができる状態としてベースプレート１６上に組み付けられた状態とされている。上記ロックプレート１７の上部には、更に、上述した回転アーム１８が上述したスタッドボルト１６Ｄに同じく通されてスタッドボルト１６Ｄを中心に軸回転することができる状態に組み付けられた状態とされている。
【００６６】
上述したロックプレート１７は、上述したベースプレート１６上に設けられた２箇所の螺合部１６Ｂから突出する各調整ボルト１６Ｂ１の軸部がスタッドボルト１６Ｄまわりの回転方向の双方向から押し当てられることにより、ベースプレート１６に対する回転方向の双方向の移動が拘束された状態として、ベースプレート１６上に一体的に固定された状態とされている。上記各調整ボルト１６Ｂ１は、各螺合部１６Ｂに対するそれぞれの螺合位置を個別に調整することができるようになっており、各調整ボルト１６Ｂ１の軸部の突出量を個別に調整することにより、ロックプレート１７のベースプレート１６に対するスタッドボルト１６Ｄまわりの回転方向の配設位置を調整することができるようになっている。
【００６７】
上述したロックプレート１７には、その上面部に、上述したスタッドボルト１６Ｄのまわりに描かれる円弧状に湾曲した長孔１７Ａが板厚方向に貫通して形成されている。上記長孔１７Ａは、ロックプレート１７の上部に組み付けられる回転アーム１８の裏面部に設けられた後述するロックピン１８Ｅ１をその内部に受け入れて、回転アーム１８がスタッドボルト１６Ｄを中心に回転する動きによって、ロックピン１８Ｅ１をその内部の孔形状に沿ってスライドさせるようになっている。また、上記長孔１７Ａの上記ロックピン１８Ｅ１が回転アーム１８の展開方向の回転によって移動していく先の端部には、孔形状が回転中心側（スタッドボルト１６Ｄ側）に引き込まれるように延出した引込孔１７Ｂが形成されている。
【００６８】
上記引込孔１７Ｂは、回転アーム１８がテーブル本体５を展開位置まで回転させたときにロックピン１８Ｅ１が到達する、長孔１７Ａの端部位置に形成されている。ここで、上記回転アーム１８の展開方向の回転移動は、回転アーム１８の裏面部に突出形成された係止突起１８Ｆが、図３０に示すようにベースプレート１６上に突出形成されたストッパ１６Ａと当たって係止されることにより展開位置に規制されるようになっている。上記引込孔１７Ｂは、上記回転アーム１８の展開位置への回転によりロックピン１８Ｅ１が上記長孔１７Ａの端部位置に達した状態（テーブル本体５は右肩上がりの斜めの姿勢状態）で、テーブル本体５を水平姿勢の使用位置に落とし込むことにより、ロックピン１８Ｅ１をその内部に引き込んで、ロックピン１８Ｅ１の長孔１７Ａ内を戻っていく幅方向の回転移動を規制するロック孔として機能するようになっている。このロックにより、テーブル本体５の水平姿勢の使用位置に落とし込んだ状態からの幅方向の戻り回転を規制することができるようになっている。
【００６９】
上述した引込孔１７Ｂは、ロックプレート１７や回転アーム１８の組み付けの誤差や製造誤差を吸収してロックピン１８Ｅ１を引き込めるよう、ロックピン１８Ｅ１の径寸法よりも幅広な形に形成されている。しかし、引込孔１７Ｂの幅径がロックピン１８Ｅ１の径寸法よりも広く形成されていると、ロックピン１８Ｅ１を引込孔１７Ｂ内に引き込んでも、ロックピン１８Ｅ１が引込孔１７Ｂ内で回転方向にガタ付いてしまうこととなる。このガタ付きは、テーブル本体５を水平姿勢の使用位置に落とし込んだ状態において、テーブル本体５を旋回方向（展開収納方向）にガタ付かせるものとして作用するため、好ましくない。
【００７０】
そこで、このガタ付きの発生を抑えるために、上述したロックプレート１７は、次のように調整機構１０Ｄによってベースプレート１６に対する回転方向の位置決めがなされた状態とされている。すなわち、ロックプレート１７は、図３０に示すように、上述した回転アーム１８をスタッドボルト１６Ｄを中心に展開位置まで回転させて、回転アーム１８の裏面部に突出形成された係止突起１８Ｆがベースプレート１６上のストッパ１６Ａに当たって係止される位置で、回転アーム１８のロックピン１８Ｅ１を引込孔１７Ｂの展開方向とは反対側の側面１７Ｂ１に当接させて引込孔１７Ｂ内に引き込めるように、ベースプレート１６に対する回転方向の取付位置が各調整ボルト１６Ｂ１により調整された状態とされている。
【００７１】
このように調整されていることで、回転アーム１８のロックピン１８Ｅ１がロックプレート１７の引込孔１７Ｂ内に引き込まれた際に、ロックピン１８Ｅ１は上述した引込孔１７Ｂの側面１７Ｂ１との当接によって同当接方向（一方向）への回転が規制されると共に、上述した回転アーム１８の係止突起１８Ｆがベースプレート１６上のストッパ１６Ａに当たっている係止構造によってその係止方向（他方向）への回転も規制された状態として、回転方向の双方向の移動が規制された、ガタ付きのない状態にロックされるようになっている。
【００７２】
上述した引込孔１７Ｂは、そのロックピン１８Ｅ１を上述した側面１７Ｂ１に当接させる位置へと受け入れる受入面１７Ｃが、ロックピン１８Ｅ１を広く受け入れて案内できるように傾斜状に開いた形に形成されている。このようになっていることで、ロックピン１８Ｅ１が引込孔１７Ｂに対して回転方向の双方向にガタ付かないように狭く入り込む関係となっていても、ロックピン１８Ｅ１を引込孔１７Ｂ内に円滑に入れ込むことができるようになっている。これにより、上記ロックプレート１７を、ベースプレート１６に対して、ロックピン１８Ｅ１（回転アーム１８）をガタ付かせないように精度良く位置決めすることができるようになっている。また、上記のようにロックピン１８Ｅ１が引込孔１７Ｂ内に引き込まれる構成となっていることにより、長孔１７Ａ内のスライドによって高い位置に引き上げられたロックピン１８Ｅ１が低い位置に下げられるようになっており、ロックピン１８Ｅ１の回転止めと高さの引き下げとを同時に行えるようになっている。これにより、図１の収納位置から図２の展開位置に斜めに引き上げられたテーブル本体５を、図３のように使用性の良い低い位置に落とし込んで使用することができるようになっている。
【００７３】
図５〜図７及び図２６に示すように、回転アーム１８は、長尺板状のアルミ合金材によって形成されており、そのシート内側の後端寄りの部位に上述したスタッドボルト１６Ｄが通されていて、同スタッドボルト１６Ｄを中心にロックプレート１７に対して幅方向に軸回転することができるように重ね合わされた状態に組み付けられている。詳しくは、上記回転アーム１８は、その裏面部に突出形成された後述するロックピン１８Ｅ１が、前述したロックプレート１７の長孔１７Ａ内に入り込んだ状態となるようにロックプレート１７上に重ね合わされて組み付けられた状態とされている。
【００７４】
上述した回転アーム１８は、図７及び図２６に示すように、その前端側の縁部に、差込み式の第１連結ピン１８Ａを介してテーブル本体５の裏面部が高さ方向に首振り運動可能な状態にピン連結されていると共に、同前端側の縁部に近い箇所にヒンジ連結された連接リンク１８Ｄの前端側の縁部にも差込み式の第２連結ピン１８Ｂを介してテーブル本体５が高さ方向に首振り運動可能な状態にピン連結された構成とされている。上述した連接リンク１８Ｄは、回転アーム１８の裏面部に長手方向にスライド可能な状態に組み付けられたスライド板１８Ｅの先端部に、高さ方向に首振り運動可能な状態にピン連結されて設けられた状態とされている。上述したスライド板１８Ｅは、回転アーム１８の裏面部に形成された凹みの内部にセットされて、同凹みの形状に沿って回転アーム１８の長手方向に真っ直ぐにスライドすることができる状態に組み付けられており、回転アーム１８の裏面部に装着された蓋カバー１８Ｈによって回転アーム１８の裏面部から脱落しないように押さえ付けられて設けられた状態とされている。
【００７５】
上述した連接リンク１８Ｄは、図２７に示すように、上記のような連結構造とされていることにより、スライド板１８Ｅが回転アーム１８に対して長手方向にスライドする動きに合わせて、上述したテーブル本体５を第２連結ピン１８Ｂを介して押引する形で第１連結ピン１８Ａを中心に回転アーム１８に対して高さ方向に首振り運動させるようにリンク運動する構成とされている。このように、回転アーム１８は、テーブル本体５に対して、テーブル本体５が第１連結ピン１８Ａを中心に高さ方向に首振り運動する動きに合わせて、このテーブル本体５と連接リンク１８Ｄを介して連結されたスライド板１８Ｅが回転アーム１８に対して長手方向にスライドする、スライダクランクの動きをする形に連結された状態とされている。
【００７６】
上述した連接リンク１８Ｄは、図２７に示すように、テーブル本体５が回転アーム１８の上部に重ね合わされた状態となるときには、スライド板１８Ｅと平行な姿勢状態に倒し込まれた姿勢状態をとる。そして、連接リンク１８Ｄは、上記テーブル本体５が第１連結ピン１８Ａを中心に回転アーム１８との重合状態から起こし上げられる方向に回される（水平姿勢の使用位置状態に落とし込まれる）ことにより、テーブル本体５によって上方側に引張られる形でスライド板１８Ｅから起こし上げられながら、スライド板１８Ｅを引き込むようにスライドさせるようになっている。
【００７７】
このように、上述した回転アーム１８は、スタッドボルト１６Ｄを中心にベースプレート１６に対して回転することができる状態に連結された構成となっており、その上部に取り付けられたテーブル本体５を、図１に示す収納位置と図２に示す展開位置との間でシート幅方向に回転移動させることのできる構成となっている（幅方向の回転機構１０Ｂ）。また、回転アーム１８は、その上部に上述したスライダクランクの動きをする機構を介してテーブル本体５が連結された構成となっていることにより、テーブル本体５を図２に示す展開位置と図３に示す水平姿勢の使用位置との間で高さ方向にも回転させることができるように構成されている（高さ方向の回転機構１０Ｃ）。
【００７８】
ここで、図６〜図７に示すように、上述したスライド板１８Ｅは、その後端側の裏面部に上述したロックピン１８Ｅ１が突出して設けられており、同ロックピン１８Ｅ１が上述したロックプレート１７の長孔１７Ａ内に入り込んだ状態に組み付けられていることにより、回転アーム１８の回転に伴ってロックピン１８Ｅ１がロックプレート１７の長孔１７Ａの形状に沿ってスライドしていくようになっている。上記スライド板１８Ｅは、上記ロックピン１８Ｅ１がロックプレート１７の長孔１７Ａ内に組み付けられたガイド構造によって、テーブル本体５を図２に示す展開位置まで移動させないと、そのスライドが行えないようになっている。
【００７９】
すなわち、スライド板１８Ｅは、図３０において前述したように、回転アーム１８がテーブル本体５を展開位置に展開させるところまで回転しないと、ロックピン１８Ｅ１を引込孔１７Ｂ内に引き込むスライドが行えないようになっており、この規制構造により、テーブル本体５が展開位置まで移動しないと、回転アーム１８に対するスライドが行えないようになっているからである。したがって、上記スライド板１８Ｅのスライドが規制される領域においては、図２７の実線状態に示されるように、テーブル本体５は、回転アーム１８の上面部に重ね合わされた状態に保持されるようになっている。
【００８０】
上述したスライド板１８Ｅは、図２に示すように、上述した回転アーム１８の回転によりテーブル本体５が展開位置に展開された状態となることにより、図３０に示すようにロックピン１８Ｅ１を引込孔１７Ｂ内に引き込む態様で回転アーム１８に対してスライドすることができる状態となる。このスライドにより、スライド板１８Ｅは、テーブル本体５が展開位置から水平姿勢の使用位置まで落とし込まれる移動を許容するようになっている。上記テーブル本体５は、上記回転アーム１８の回転によって展開位置に展開されることにより、その自重によって水平姿勢の使用位置まで落とし込まれるようになっている。
【００８１】
ここで、図７及び図２６に示すように、上述した回転アーム１８の裏面部には、上述したスライド板１８Ｅのスライドする動きに粘性抵抗力をかけるダンパ１８Ｊが設けられている。上記ダンパ１８Ｊは、スライダ１３の側面に形成されたラック歯１８Ｅ２と噛合するピニオン１８Ｊ１を備え、スライダ１３のスライドによってラック歯１８Ｅ２からピニオン１８Ｊ１に入力された回転力を、内部の粘性構造によって減衰させる構成となっている。上記ダンパ１８Ｊは、ピニオン１８Ｊ１に入力される回転方向の双方向の回転力に対して粘性抵抗力を作用させる構成となっている。上記ダンパ１８Ｊによって発揮される粘性抵抗力の作用により、テーブル本体５がその自重によって水平姿勢の使用位置に落とし込まれる際の勢いが適切に減衰されて、テーブル本体５が水平姿勢の使用位置に向けてゆっくりと落とし込まれるようになっている。また、テーブル本体５は、上記水平姿勢の使用位置から展開位置まで起こし上げられる際の勢いも適切に減衰されて、テーブル本体５が水平位置からゆっくりと起こし上げられていくようになっている。
【００８２】
詳しくは、上記ダンパ１８Ｊは、テーブル本体５を回転アーム１８に重ね合わせた展開位置（右肩上がりの斜め姿勢の位置）と回転アーム１８から起こし上げた使用位置（水平位置）との間で展開収納させるスライダクランク機構を構成するスライド板１８Ｅに粘性抵抗力を作用させるように設けられている。上記スライド板１８Ｅは、テーブル本体５が展開位置に近い領域を移動する時には、テーブル本体５の首振り回転の移動量に対するスライド移動量は小さいが、テーブル本体５が水平位置に近い領域を移動する時には、テーブル本体５の首振り回転の移動量に対するスライド移動量が大きくなる構成とされている。したがって、このような動きをするスライド板１８Ｅに、粘性のダンパ１８Ｊを連結して設けることより、テーブル本体５が展開位置（右肩上がりの斜め姿勢の位置）に近い領域を上げ下げされる時には、ダンパ１８Ｊによる粘性抵抗力を小さく作用させ、テーブル本体５が使用位置（水平位置）に近い領域を上げ下げされる時には、ダンパ１８Ｊによる粘性抵抗力を大きく作用させるようにすることができる。
【００８３】
よって、テーブル本体５を展開位置（右肩上がりの斜め姿勢の位置）から使用位置（水平位置）に落とし込み始める初期の領域や、テーブル本体５を使用位置（水平位置）から展開位置（右肩上がりの斜め姿勢の位置）に起こし上げ終わる終盤の領域では、テーブル本体５を比較的抵抗感なく円滑に上げ下げすることができる。また、テーブル本体５を展開位置（右肩上がりの斜め姿勢の位置）から使用位置（水平位置）に落とし込み終わる終盤の領域や、テーブル本体５を使用位置（水平位置）から展開位置（右肩上がりの斜め姿勢の位置）に起こし上げ始める初期の領域では、テーブル本体５の速度を効果的に減衰してテーブル本体５を操作感よくゆっくりと上げ下げすることができる。
【００８４】
ここで、図５、図７、図２６及び図２８に示すように、上述した回転アーム１８とテーブル本体５との間には、テーブル本体５を上述した使用位置（水平位置）から展開位置（右肩上がりの斜め姿勢の位置）まで起こし上げる際に、テーブル本体５が展開位置に近づけられた接近領域まで起こし上げられることで、テーブル本体５に回転アーム１８へ引き寄せる（重合させる）方向の力を作用させる金属プレート１８Ｇとマグネット５Ｂ５との組み合わせから成るマグネット構造が設けられている。具体的には、上記金属プレート１８Ｇは、図５に示すように、回転アーム１８の上面部におけるシート内側と外側の２箇所の縁部にそれぞれ設けられている。また、マグネット５Ｂ５は、図７に示すように、テーブル本体５の裏面部における上記金属プレート１８Ｇの配設箇所に対応する２箇所の位置に設けられている。上記マグネット構造は、その発揮される引き寄せ力によって、テーブル本体５を回転アーム１８に重合させた展開位置に起こし上げた状態を、着座者に節度感として感じさせることができるようになっている。この節度感により、テーブル本体５を使用位置から展開位置に起こし上げる操作を、操作感良く行うことができる。
【００８５】
また、図７に示すように、上記テーブル本体５の裏面部には、更に、テーブル本体５が図３の使用位置から図２の展開位置に起こし上げられる際に、テーブル本体５が回転アーム１８に勢い良く押し当てられないように当たりを緩衝する長板状のゴム５Ｂ６が設けられている。上記ゴム５Ｂ６は、図７及び図２８に示すように、上述したマグネット５Ｂ５の配設箇所の間に横並び状に２個並んで設けられており、各マグネット５Ｂ５よりも大きく突出した状態に設けられていることで、各マグネット５Ｂ５が回転アーム１８の金属プレート１８Ｇに当たるよりも前に回転アーム１８の裏面部に当てられて、テーブル本体５が展開位置に起こし上げられる動きを緩衝するようになっている。
【００８６】
したがって、上記ゴム５Ｂ６が設けられた構成により、テーブル本体５を図３の使用位置から図２の展開位置に向けて起こし上げる際に、上述したマグネット構造によってテーブル本体５を回転アーム１８に引き寄せる力を作用させながらも、テーブル本体５を回転アーム１８に強く衝突させないように当たりを和らげることができるため、テーブル本体５を節度感良く図２の展開位置に起こし上げて係止させることができる。したがって、テーブル本体５を展開位置に起こし上げた後、同展開位置の高さ状態を保ちながらテーブル本体５を収納位置に向けて旋回方向に回転させる収納操作を円滑に行うことができる。
【００８７】
また、上記ゴム５Ｂ６の配設により、テーブル本体５が使用位置から展開位置に起こし上げられても、マグネット５Ｂ５と金属プレート１８Ｇとは互いに離間した非接触状態に保たれるようになっている。これにより、上記マグネット構造の引き込み力が強く効き過ぎないように調整されており、テーブル本体５を上記展開位置から使用位置に自重によって円滑に落とし込むことができるようになっている。
【００８８】
図５〜図６に示すように、上述した回転アーム１８には、その回転中心となるスタッドボルト１６Ｄの通された近傍箇所に、カムフォロア１８Ｃが取り付けられている。上記カムフォロア１８Ｃは、その軸部が円筒型のブッシュ１８Ｃ２に通されて回転アーム１８上に取り付けられており、回転アーム１８から上方側に浮いた位置に外輪が軸部に対して回転することのできる状態に支持されて設けられた状態とされている。上記外輪には、真鍮製のキャップ１８Ｃ１が外周側から覆われた状態に装着されている。上記カムフォロア１８Ｃは、後述するガイドプレート１９に形成されたガイド孔１９Ｂ内に下方側から差し込まれてセットされており、前述した回転アーム１８がシート幅方向に回転したりスライダ１３がシート前後方向にスライドしたりする動きによってガイド孔１９Ｂ内をスライドするようになっている。
【００８９】
ガイドプレート１９は、シート前後方向に長尺な一枚のアルミ合金材によって形成されており、そのシート前後側の各縁部に下方側に折り曲げられて形成された各脚部が、複数のボルト１９Ａによって、前述したレール１２の前端部と後端部とにそれぞれ一体的に締結されて固定された状態とされている。上記ガイドプレート１９には、その上面部に、前後方向に長尺な形のガイド孔１９Ｂが板厚方向に貫通して形成されており、同ガイド孔１９Ｂ内に上述した回転アーム１８に取り付けられたカムフォロア１８Ｃが下方側から通されてその内部をスライドすることのできる状態に組み付けられた状態とされている。
【００９０】
上記ガイド孔１９Ｂは、テーブル本体５を支持台４の内部に収納することによりカムフォロア１８Ｃを内部に受け入れるロック溝１９Ｂ１と、テーブル本体５を展開させていく時にカムフォロア１８Ｃをその面に沿って滑らせることで回転アーム１８をスライダ１３の前方移動の進行に伴って少しずつ展開方向に回転させていくようにガイドする展開ガイド面１９Ｂ２と、テーブル本体５を収納していく時にカムフォロア１８Ｃをその面に沿って滑らせることで回転アーム１８をスライダ１３の後方移動の進行に伴って少しずつ収納方向に回転させていくようにガイドする収納ガイド面１９Ｂ３と、を有する形に形成されている。
【００９１】
上述したガイドプレート１９に形成されたガイド孔１９Ｂにより、次のようにテーブル本体５の展開収納時にカムフォロア１８Ｃの移動がガイドされるようになっている。すなわち、先ず、カムフォロア１８Ｃは、図２９の実線状態で示されるように、テーブル本体５が支持台４の内部に収納された状態では、ガイド孔１９Ｂの後端部に形成されたロック溝１９Ｂ１内に入り込んだ状態として、シート前方側への移動が規制された状態に保持されるようになっている。これにより、カムフォロア１８Ｃに連結されているスライダ１３の前方移動も規制された状態として、スライダ１３に前述したヘルパ１４からの展開方向の附勢力がかけられていても、テーブル本体５が収納位置の状態に保持されるようになっている。
【００９２】
上記カムフォロア１８Ｃは、図３１に示すように、上述したテーブル本体５がプッシュ操作によって支持台４の内部から一部突出した状態に切り換えられた後、その突出したテーブル本体５の取手部５Ｄを着座者が把持してシート内側に引き込むことにより、スタッドボルト１６Ｄのまわりに回転して、ロック溝１９Ｂ１から外し出されるようになっている。これにより、スライダ１３が、展開方向にスライドすることのできる状態となり、ヘルパ１４から受ける展開方向の附勢によるアシスト力を受けながら、前方側にスライドしていくことのできる状態となる。したがって、次に、着座者がテーブル本体５の取手部５Ｄを掴んでシート内側に引き込むように操作することにより、カムフォロア１８Ｃが展開ガイド面１９Ｂ２に押し当てられて、展開ガイド面１９Ｂ２の形状に沿って前方側に押し滑らされていくように操作される。
【００９３】
ここで、上記展開ガイド面１９Ｂ２は、ガイド孔１９Ｂ内のシート内側を向く内周面として形成されており、そのシート後方側の端部から前方側の途中の段差面１９Ｂ４の形成位置までの領域が、シート前方側に向かって斜め外側に滑らかに広がっていく形に湾曲した面形状に形成されている。これにより、上記展開ガイド面１９Ｂ２は、テーブル本体５を上記収納位置からシート内側に回転させてカムフォロア１８Ｃを当接させた状態とすることにより、テーブル本体５を更にそこからシート前方側へスライドさせないと、テーブル本体５をそれ以上シート内側へ回転させることができないようにカムフォロア１８Ｃの移動を規制（ガイド）するようになっている。
【００９４】
この展開ガイド面１９Ｂ２のガイド構造により、テーブル本体５を上述した収納位置から展開位置に向けて、シート前方側へのスライドの進行に伴ってシート内側に少しずつ展開回転させていけるようにテーブル本体５の移動軌跡を制限することができるようになっている。すなわち、上記展開ガイド面１９Ｂ２のガイド構造は、テーブル本体５の展開方向の回転移動をシート前方側へのスライド移動と連動させて行わせるようにガイドするものとなっている。このガイド構造により、テーブル本体５を単にシート内側前方に引き出すように操作するのみで、テーブル本体５を着座者の身体に干渉させないようにシート前方側にスライドさせながら内側に少しずつ回転させて、着座者の身体のまわりを迂回させながら着座者の前側の位置（図２の展開位置）に展開させることができるようになっている。
【００９５】
上記展開ガイド面１９Ｂ２の途中位置にある段差面１９Ｂ４は、その位置でカムフォロア１８Ｃをスタッドボルト１６Ｄを中心に展開位置まで回転させられるようにする湾曲面形状となっており、テーブル本体５をこの位置まで展開移動させることにより、テーブル本体５を着座者の前側の展開位置まで回転させることができるようになっている。そして、上記展開ガイド面１９Ｂ２は、上記段差面１９Ｂ４より先の領域が、シート前方側に向かって真っ直ぐに延びる形に形成されており、カムフォロア１８Ｃを上記段差面１９Ｂ４で展開位置まで回転させた状態を保ちながらシート前方側にスライドさせられるようにするようになっている。
【００９６】
上記展開ガイド面１９Ｂ２は、その途中の段差面１９Ｂ４までの領域が、テーブル本体５を収納位置から展開位置に向けて前方側へスライドさせながらシート内側へも回転させるようにガイドする展開収納領域となっている。詳しくは、上記展開ガイド面１９Ｂ２は、上記段差面１９Ｂ４から段差面１９Ｂ４のアール終わりまでの領域も、テーブル本体５を展開位置へ展開させるための領域となっているが、この領域では、テーブル本体５のシート内側への回転移動のみが行われ、前方側へのスライドは連動して行われないようになっている。
【００９７】
また、上記展開ガイド面１９Ｂ２は、上記段差面１９Ｂ４のアール終わりから先の領域が、テーブル本体５を水平姿勢の使用位置に落とし込んだ状態で前後方向に位置調整できるようにする使用領域となっている。この領域（使用領域）では、テーブル本体５の前後方向のスライド移動のみが行われ、シート幅方向への回転は連動して行われないようになっている。上記使用領域内では、テーブル本体５は、着座者がテーブル本体５を前後方向に押引する操作によって前後方向に位置調整されるようになっている。上記テーブル本体５は、上記使用領域の後端位置まで引き込まれることにより、カムフォロア１８Ｃが段差面１９Ｂ４のアール部分に当たって後方移動が係止されるようになっている。
【００９８】
上記ガイド孔１９Ｂは、上記テーブル本体５が水平姿勢の使用位置の状態から、着座者がテーブル本体５を起こし上げて右肩上がりの斜めの姿勢状態にして、これをシート外側に押し込むように操作することにより、上述したカムフォロア１８Ｃがスタッドボルト１６Ｄのまわりに回されて展開ガイド面１９Ｂ２から離間し、同面と対向する収納ガイド面１９Ｂ３に押し当てられた状態となる。
【００９９】
上記収納ガイド面１９Ｂ３は、ガイド孔１９Ｂ内のシート外側を向く内周面として形成されており、全体が、シート後方側に向かって斜め内側に滑らかに引き込まれていくように湾曲した形に形成されている。これにより、上記収納ガイド面１９Ｂ３は、テーブル本体５をシート外側に回転させてカムフォロア１８Ｃを当接させた状態とすることにより、テーブル本体５を更にそこからシート後方側へスライドさせないと、テーブル本体５をそれ以上シート外側へ回転させることができないようにカムフォロア１８Ｃの移動をガイドするようになっている。
【０１００】
上記収納ガイド面１９Ｂ３のガイド構造により、テーブル本体５を上述した図２の展開位置から図１の収納位置に向けて、シート後方側へのスライドの進行に伴ってシート外側に少しずつ収納回転させていけるようにテーブル本体５の移動軌跡を制限することができるようになっている。すなわち、上記収納ガイド面１９Ｂ３のガイド構造は、テーブル本体５の収納方向の回転移動をシート後方側へのスライド移動と連動させて行わせるようにガイドするものとなっている。したがって、このガイド構造により、テーブル本体５を単にシート外側後方に押し出すように操作するのみで、テーブル本体５を支持台４に干渉させないようにシート後方側にスライドさせながら外側に向けて少しずつ回転させて、他の部材と干渉しない所定の経路を通るように図１の収納位置に向けて動かしていけるようになっている。
【０１０１】
具体的には、上記収納ガイド面１９Ｂ３は、全体が、シート後方側に向かって斜め内側に引き込まれていくようにひと続きに滑らかに湾曲した形に形成されており、テーブル本体５が展開収納領域にある状態からであっても、或いは使用領域にある状態からであっても、テーブル本体５を右肩上がりに傾けられた姿勢状態からシート外側後方に押し動かす一度の操作によって収納位置まで一気に移動させることができるようにガイドする構成となっている。したがって、例えば、テーブル本体５を使用領域から展開収納領域との境界位置まで一旦スライドを戻してから収納操作を改めて行わなければならないような構成と比べて、常に同じ操作感でテーブル本体５を収納位置まで簡単に戻すことができるため、収納操作性がよい。
【０１０２】
ここで、図２２において前述した、スライダ１３に展開方向の移動附勢力をかけるヘルパ１４がレール１２の開口１２Ｂの前端部に当たって係止される位置は、図２９に示すように、カムフォロア１８Ｃが展開ガイド面１９Ｂ２上を段差面１９Ｂ４より僅かに手前側の位置まで展開方向に移動した状態となる位置となっている。このような位置にヘルパ１４の係止位置が設定されていることにより、テーブル本体５を使用領域の後端位置から収納操作する際でも、テーブル本体５を収納し始める最初の領域からヘルパ１４からの抵抗力を受けることがないようになっており、収納方向の移動がある程度進んだところからヘルパ１４からの抵抗力がかけられる構成となっていることで、テーブル本体５の収納操作を行いやすくなっている。
【０１０３】
次に、図３１〜図３３において前述した、テーブル本体５をプッシュ操作によって支持台４の内部に完全に収めた状態と一部（取手部５Ｄ）を外部に突出させた状態とに切り換える切換え装置２０の構成について説明する。切換え装置２０は、図３２〜図３３に示すように、テーブル本体５を支持台４の内部に向けて横から押し込む操作によって、テーブル本体５を支持台４の内部に完全に収めた状態とする凹状態（図３６参照）と、テーブル本体５を支持台４の外部に一部突出させた状態とするように押し返す凸状態（図３８参照）と、に交互に切り換えられるオルタネート動作式のスイッチ構造を備えた構成となっている。
【０１０４】
上記切換え装置２０は、図５に示すように、前述したガイドプレート１９の前端側の脚部と共に、支持台４の内部のレール１２の前端部に２本のボルト１９Ａによって一体的に締結された状態として設けられている。詳しくは、上記切換え装置２０は、上述したレール１２の前端部上にセットされ、同レール１２の前端部にガイドプレート１９の前端側の脚部が下方側からあてがわれた状態で、これらに２本のボルト１９Ａを下方側から差し込んで締結することにより、ガイドプレート１９と共にレール１２の前端部に一体的に固定された状態として設けられている。
【０１０５】
上記切換え装置２０は、図１１及び図３６に示すように、テーブル本体５が支持台４の内部に完全に押し込まれることにより、その上面部上にテーブル本体５を受け入れて、テーブル本体５の前端側の外角部を下方側から支持した状態とするようになっている。この支持により、切換え装置２０は、収納状態とされたテーブル本体５の前端部を自重によって垂れ下がらせないように下方側から支持するようになっている。
【０１０６】
上記切換え装置２０は、図３２（ａ）に示すように、テーブル本体５が前述した展開使用領域からの収納操作によってその大部分が支持台４の内部に収められつつも一部（取手部５Ｄ）が外部に突出した状態（一部突出状態）として残されている状態から、その突出した一部（取手部５Ｄ）を同図（ｂ）に示すように支持台４の内部に押し込むようにプッシュ操作することにより、テーブル本体５の外角部に押される格好でプッシュ操作される。これにより、切換え装置２０は、同図（ｃ）に示すように、テーブル本体５を支持台４の内部に完全に収められる位置まで退避した凹状態へと切り換えられる。
【０１０７】
また、切換え装置２０は、図３３（ａ）に示すように、テーブル本体５が上記収納位置に収められた状態から、同図（ｂ）に示すように支持台４のスリット４Ｂに臨むテーブル本体５の前端側の横側部（取手部５Ｄ）をスリット４Ｂ内に押し込むようにプッシュ操作することにより、上記と同様にテーブル本体５の外角部に押される格好で操作される。これにより、切換え装置２０は、同図（ｃ）に示すように、テーブル本体５をその一部（取手部５Ｄ）が支持台４の外部に突出した状態となる位置まで大きく押し返した凸状態へと切り換えられる。このように、切換え装置２０は、テーブル本体５の前端側の横側部を支持台４の内部へ押し込むように操作することにより、その操作が行われる毎に、上述した凹状態と凸状態とに交互に切り換えられる構成となっている（オルタネート動作式のスイッチ構造）。
【０１０８】
上述した切換え装置２０、図３４〜図３５に示すように、具体的には、ガイドレール２１と、ガイドレール２１に一体的に固定された係止壁２２と、ガイドレール２１上をスライドするスライド台２３と、スライド台２３の内部に設けられたオルタネート動作式のスイッチ構造を持つプッシュラッチ２４と、支持台４と係止壁２２との間に設けられた圧縮ばね２５と、を有する構成となっている。
【０１０９】
ガイドレール２１は、断面Ｌ字状の長板形状に形成されており、その座面上に長手方向に延びる２本のガイド溝２１Ａが形成されていると共に、立壁面上にも長手方向に延びる１本のガイド突起２１Ｂが形成された構成となっている。上述した各ガイド溝２１Ａは、ガイドレール２１の座面上の長手方向の一端側近傍の途中箇所から他端側に開口する位置まで延びて形成されている。
【０１１０】
係止壁２２は、上述したガイドレール２１と向きの異なる断面Ｌ字状の板形状に形成されており、その座板部分が上述したガイドレール２１の２本のガイド溝２１Ａの開口した側の端部から嵌め込まれてガイドレール２１に装着された状態とされている。具体的には、上記係止壁２２は、その座板の底面部分に上述したガイドレール２１の２本のガイド溝２１Ａ内にスライド方向に嵌め込まれて装着される２本の嵌合凸部２２Ａが形成されていると共に、同座板の片側の縁側部分が上記スライドによる嵌め込みによりガイドレール２１のガイド突起２１Ｂの下側に潜り込んで剥離防止された状態に装着される構成となっている。これにより、上記係止壁２２は、上記各嵌合凸部２２Ａをガイドレール２１の各ガイド溝２１Ａ内にスライドさせて嵌め込むことで、上述した座板の片側の縁側部分がガイドレール２１のガイド突起２１Ｂの下側に潜り込んで剥離防止された状態として、その立壁部分がガイドレール２１の立壁部分に当接して係止された状態に組み付けられるようになっている。
【０１１１】
上記係止壁２２は、上記のようにガイドレール２１の上部に乗り上がった状態に組み付けられた後、ガイドレール２１の下側から２本のボルト２１Ｃをその立壁部分に通すように差し込んで締結することにより、ガイドレール２１に一体的に固定された状態とされている。上記係止壁２２には、その立壁の中央部分に、上述したガイドレール２１への差し込み方向に向かって突出する係止アーム２２Ｂが形成されている。上記係止アーム２２Ｂの先端部には、後述するプッシュラッチ２４の固定側ラッチ２４Ｂに差し込まれて結合される爪部２２Ｃが形成されている。
【０１１２】
スライド台２３は、上述した係止壁２２がガイドレール２１に組み付けられる前にガイドレール２１にスライド可能な状態に嵌め込まれて装着されている。具体的には、上記スライド台２３は、その底面部分に上述したガイドレール２１の２本のガイド溝２１Ａ内にスライド方向に嵌め込まれる２本のスライド突起２３Ｅが形成されていると共に、その片側の側面部分に上述したガイドレール２１の立壁面上に形成されたガイド突起２１Ｂをスライド方向に受け入れることのできるスライド溝２３Ｆが長手方向に貫通して形成された構成となっている。これにより、上記スライド台２３は、上述した各スライド突起２３Ｅをガイドレール２１の各ガイド溝２１Ａ内にスライド方向に嵌め込むと共に、スライド溝２３Ｆ内にガイドレール２１のガイド突起２１Ｂを受け入れた状態とすることにより、ガイドレール２１に対して剥離防止された状態として長手方向にスライド可能な状態に装着された状態とされている。
【０１１３】
上述したスライド台２３は、上述した各スライド突起２３Ｅがガイドレール２１の各ガイド溝２１Ａの端部に当たって係止される位置と係止壁２２に当たって係止される位置との間でガイドレール２１に対してスライドすることができるようになっている。上述したスライド台２３は、図３６に示すように、その天板面２３Ａ上に上述したテーブル本体５を押し壁２３Ｂに当たる位置までスライド方向に受け入れることによりテーブル本体５を下方側から支持した状態となる。そして、スライド台２３は、この状態から更に図３７に示すようにテーブル本体５を支持台４の内部に向けてプッシュ操作することにより、押し壁２３Ｂがテーブル本体５に押されて係止壁２２に向けてスライドするようになっている。そして、スライド台２３は、上記スライドした後にプッシュ操作が解除されることにより、図３８に示すように、押し壁２３Ｂによってテーブル本体５を一部突出位置まで押し返すようになっている。
【０１１４】
上記スライド台２３には、図３４に示すように、その横側面に後述するプッシュラッチ２４を内部に差し込んで装着することのできる開口２３Ｃが形成されている。また、スライド台２３の天板面２３Ａには、上述した開口２３Ｃに連通するスリット状に貫通した差込み口２３Ｄが形成されている。上記差込み口２３Ｄは、上述した開口２３Ｃ内にプッシュラッチ２４が差し込まれて装着された後、その上方側から長板状の蓋板２３Ｇを差し込むための口となっている。上記差込み口２３Ｄに差し込まれた蓋板２３Ｇは、開口２３Ｃ内まで落とし込まれて開口２３Ｃに蓋をした状態として保持されるようになっている。そして、上記開口２３Ｃ内に落とし込まれた蓋板２３Ｇは、その落とし込まれた先の端部がボルト２３Ｇ１によってスライド台２３に固定されることにより、プッシュラッチ２４が開口２３Ｃから脱落しないように開口２３Ｃに蓋をした状態に保持されるようになっている。
【０１１５】
上記スライド台２３は、そのガイドレール２１への組み付けの後、前述した係止壁２２がガイドレール２１に組み付けられることにより、ガイドレール２１に対して脱落が防止された状態に組み付けられた状態となる。上記組み付けの際、係止壁２２は、その係止アーム２２Ｂに圧縮ばね２５が通された状態でガイドレール２１に組み付けられるようになっている。これにより、上記圧縮ばね２５が、係止壁２２の立壁部分とスライド台２３との間に押し挟まれた状態に組み付けられて、スライド台２３に対して常時、係止壁２２から離間させる方向のばね力をかけた状態にセットされた状態とされている。
【０１１６】
また、上記スライド台２３は、上記係止壁２２がガイドレール２１に組み付けられた後、上述した圧縮ばね２５の附勢力に抗して係止壁２２に向けて押し込むことにより、その内部に装着されたプッシュラッチ２４の固定側ラッチ２４Ｂが係止壁２２の係止アーム２２Ｂの先端部に形成された爪部２２Ｃに引掛けられて一体的に結合されるようになっている。この結合により、スライド台２３は、その内部に装着されたプッシュラッチ２４の固定側ラッチ２４Ｂが係止壁２２及びガイドレール２１と一体的に固定された状態として、この固定側ラッチ２４Ｂに対して可動側ラッチ２４Ａと一体的となってスライドするようになっている。
【０１１７】
上記スライド台２３は、図３８に示すように、上述した圧縮ばね２５の附勢力により、その底面部分に形成された各スライド突起２３Ｅがガイドレール２１の各ガイド溝２１Ａの端部に当たって係止される位置まで押し出されることで、テーブル本体５の一部を支持台４の外部に突出させる位置（一部突出状態）まで押し出した凸状態となる。また、スライド台２３は、上記の凸状態から、図３７に示すように、上述したテーブル本体５が横側からプッシュ操作されて係止壁２２に向けて押し込まれることにより、その内部のプッシュラッチ２４が機能して、テーブル本体５のプッシュ操作の解除に伴って図３６に示すようにテーブル本体５をほぼ押し返すことなく支持台４の内部に完全に収めた収納状態に保つ凹状態に切り換えられるようになっている。
【０１１８】
また、スライド台２３は、上述した図３６に示した凹状態から、テーブル本体５が再度、横側からプッシュ操作されて図３７に示すように係止壁２２に向けて押し込まれることにより、その内部のプッシュラッチ２４が機能して、テーブル本体５のプッシュ操作の解除に伴って図３８に示すようにテーブル本体５を一部突出状態に戻す位置まで押し返した凸状態に切り換えられるようになっている。このように、スライド台２３は、テーブル本体５がプッシュ操作される毎に、その内部のプッシュラッチ２４が機能して、図３６に示す凹状態と図３８に示す凸状態とに交互に繰り返し切り換えられるようになっている。
【０１１９】
次に、プッシュラッチ２４の内部構造について説明する。プッシュラッチ２４は、図３４〜図３５及び図３９〜図４０に示すように、一部が開口した箱型の可動側ラッチ２４Ａと、可動側ラッチ２４Ａの内部にスライド可能な状態に組み付けられた固定側ラッチ２４Ｂと、これらの間に組み付けられた圧縮ばね２４Ｃと、を有する構成となっている。可動側ラッチ２４Ａは、図３４〜図３６に示すように、前述したスライド台２３の内部に装着されることにより、スライド台２３と一体的に結合された状態に組み付けられた状態とされている。上記可動側ラッチ２４Ａには、図３９〜図４０に示すように、可動側ラッチ２４Ａのスライド方向とは垂直な方向にのみスライド可能とされた横スライドピン２４Ａ１が設けられている。
【０１２０】
固定側ラッチ２４Ｂは、可動側ラッチ２４Ａの開口から内部に組み付けられて、可動側ラッチ２４Ａと相互に出し入れ方向にスライドすることのできる状態に係合した状態となっている。圧縮ばね２４Ｃは、上述した固定側ラッチ２４Ｂと可動側ラッチ２４Ａとのスライド方向に対向する面部間に押し挟まれた状態で設けられており、可動側ラッチ２４Ａに対して常時、固定側ラッチ２４Ｂから離間させる方向のばね力をかけた状態とされている。
【０１２１】
また、上述した固定側ラッチ２４Ｂには、上述した可動側ラッチ２４Ａに設けられた横スライドピン２４Ａ１を受け入れて、可動側ラッチ２４Ａのスライドに伴って横スライドピン２４Ａ１の移動をガイドするガイド構造２４Ｂ１が設けられている。上記ガイド構造２４Ｂ１は、いわゆるハートカム型のガイド構造となっており、２つの連続した山形の傾斜面を形成する第１係止壁部２４Ｂ１ａ及び第３係止壁部２４Ｂ１ｃと、これらの山の間に位置して対向する谷形の傾斜面を形成する第２係止壁部２４Ｂ１ｂと、上述した第３係止壁部２４Ｂ１ｃの山の頂点の図示下方に位置して第１係止壁部２４Ｂ１ａの山の頂点を越えた位置まで下る真っ直ぐな傾斜面を形成するリターン壁部２４Ｂ１ｄと、を有する構成となっている。
【０１２２】
上述したガイド構造２４Ｂ１は、図３９（ａ）に示すように、可動側ラッチ２４Ａが突出状態、すなわち図３８で前述したスライド台２３が凸状態となっている状態では、可動側ラッチ２４Ａの横スライドピン２４Ａ１を、後述するリターン壁部２４Ｂ１ｄによる案内によって、第１係止壁部２４Ｂ１ａの山の頂点より図示右側寄りの領域に位置させた状態として保持するようになっている。そして、上記ガイド構造２４Ｂ１は、図３９（ｂ）に示すように、可動側ラッチ２４Ａが上記状態からプッシュ操作されて固定側ラッチ２４Ｂに押し込まれることにより、横スライドピン２４Ａ１を第１係止壁部２４Ｂ１ａの山の右側の斜面に当接させて、横スライドピン２４Ａ１を山の頂点に向けて図示左方側へスライドさせて係止させた状態とする。これにより、可動側ラッチ２４Ａの固定側ラッチ２４Ｂに向けてのプッシュ操作が係止される。
【０１２３】
そして、上記ガイド構造２４Ｂ１は、図３９（ｃ）に示すように、上記のプッシュ操作が解除されて可動側ラッチ２４Ａが圧縮ばね２４Ｃの附勢力によって図示下方側へ押し戻されることにより、横スライドピン２４Ａ１を第２係止壁部２４Ｂ１ｂの谷の右側の斜面に当接させて、横スライドピン２４Ａ１を谷の頂点に向けて図示左方側へスライドさせて係止させた状態とする。これにより、可動側ラッチ２４Ａがほぼ押し戻されることなく押し込まれたままの状態、すなわち図３６で前述したスライド台２３が凹状態とされる状態に保持される。
【０１２４】
ここで、上記第２係止壁部２４Ｂ１ｂは、その谷の頂点が、第１係止壁部２４Ｂ１ａの山と第３係止壁部２４Ｂ１ｃの山との間の頂点よりも図示左方側にずれた位置に形成された構成となっている。これにより、上記ガイド構造２４Ｂ１は、図４０（ａ）に示すように、横スライドピン２４Ａ１が上述した第２係止壁部２４Ｂ１ｂに受け入れられて係止された状態から、図４０（ｂ）に示すように、可動側ラッチ２４Ａが再度、プッシュ操作されて固定側ラッチ２４Ｂに押し込まれることにより、横スライドピン２４Ａ１を第３係止壁部２４Ｂ１ｃの山の右側の斜面に当接させて、横スライドピン２４Ａ１を山の頂点に向けて図示左方側へスライドさせて係止させた状態とするようになっている。そしてこれにより、可動側ラッチ２４Ａの固定側ラッチ２４Ｂに向けてのプッシュ操作が係止される。
【０１２５】
そして、上記ガイド構造２４Ｂ１は、図４０（ｃ）に示すように、上記のプッシュ操作が解除されて可動側ラッチ２４Ａが圧縮ばね２４Ｃの附勢力によって図示下方側へ押し戻されることにより、横スライドピン２４Ａ１をリターン壁部２４Ｂ１ｄの斜面に当接させて、横スライドピン２４Ａ１を図３９（ａ）で示した元の位置（第１係止壁部２４Ｂ１ａの山の頂点より図示右側寄りの領域）までスライドさせて戻した状態にする。上記の動作により、可動側ラッチ２４Ａが大きく押し返されて、スライド台２３が図３８で前述した凸状態に押し出された状態となる。
【０１２６】
このように、本実施例のテーブルＴａは、テーブル本体５を支持台４（収納体）の外部から行われる操作によって、支持台４の内部に完全に収納した状態（収納状態）とその一部（取手部５Ｄ）を支持台４の外部に突出させた状態（一部突出状態）との間で切り換えることのできる切換え装置２０を備える構成となっている。上記切換え装置２０により、テーブル本体５を支持台４の内部に取手部５Ｄまでコンパクトに収納した状態と、取手部５Ｄを支持台４の外部に突出させた展開操作が可能な一部突出状態と、に切換えることが可能となる。これらの切換え操作は、支持台４の外部から行われる操作によって簡便に行うことができる。したがって、テーブル本体５を支持台４の内部に完全に収めた状態にすることができながら、テーブル本体５を支持台４の内部に手を入れることなく外部に簡単に引き出すことができ、テーブル本体５の収納性を高めつつ、テーブル本体５の展開操作性も向上させることができる。
【０１２７】
また、上記テーブル本体５は、斜め下がり方向の回転により傾斜した姿勢状態で支持台４の内部に収納される構成とされている。切換え装置２０は、支持台４の内部に設けられており、テーブル本体５を収納方向に押し込む操作によってテーブル本体５を収納状態まで受け入れられる凹状態となり、再度の押し込み操作によってテーブル本体５を上記一部突出状態まで押し出すことのできる凸状態となる、オルタネート動作式のスイッチ構造となっている。
【０１２８】
このような構成となっていることにより、上記斜め下がりに収納されるタイプのテーブル本体５を、オルタネート動作式の単純構造の切換え装置２０によって、収納状態と一部突出状態とのそれぞれの状態に適切に切換えて、それぞれの状態に安定して保持することができる。すなわち、テーブル本体５が斜め下がりに収納される重力作用によって、テーブル本体５を収納状態と一部突出状態とのそれぞれの状態に安定して保持することができる。また、切換え装置２０によるテーブル本体５の押し出し方向が斜め方向であるため、テーブル本体５を収納状態から一部突出状態に向けて比較的軽い力で押し出すことができ、切換え装置２０の反発力を比較的弱く設定することができる。したがって、テーブル本体５を一部突出状態から収納状態に押し込むために必要な力も比較的軽く済むようにすることができ、収納操作を更に簡便にすることができる。
【０１２９】
また、テーブル本体５は、一端がテーブル移動装置１０に連結されて片持ち状に支えられた構成となっており、収納状態時に他端に切換え装置２０が下方側からあてがわれることで支持台４に対して両端支持状態で支えられる構成となっている。このような構成となっていることにより、テーブル本体５を収納状態時に切換え装置２０によって他端を支えて両端支持状態とすることができ、切換え装置２０の構成を利用してテーブル本体５を自重による曲げの負荷の少ない状態で支えることができる。
【０１３０】
以上、本発明の実施形態を１つの実施例を用いて説明したが、本発明は上記実施例のほか各種の形態で実施することができるものである。例えば、本発明の「乗物用テーブル」は、様々な鉄道車両用に供されるシートに適用することができる他、自動車等の鉄道以外の車両や、航空機、船舶等の他の乗物用に供されるシートにも広く適用することができるものである。
【０１３１】
また、本発明の「乗物用テーブル」は、図４１に示すように、テーブル本体５'がシート１'の横隣に設けられた収納体４'（ベース）に対して縦に出し入れされる展開収納構造となっているテーブルＴａ'であってもよい。具体的には、上記テーブルＴａ'は、テーブル本体５'がシート１'の横隣に設けられた収納体４'に対してテーブル移動装置１０'により起倒回転可能にヒンジ連結されて縦に出し入れすることができるように設けられた状態とされている。そして、上記収納体４'の内部には、実施例１で示した切換え装置２０'と同じオルタネート動作式のスイッチ構造をもつ切換え装置２０'が設けられており、収納体４'の上部の蓋４Ａ'を開けてテーブル本体５'を収納体４'の内部に押し込むプッシュ操作を行う毎に、テーブル本体５'を収納体４'の内部に完全に収めた状態（収納状態）と、テーブル本体５'の一部（取手部５Ｄ'）を収納体４'の外部に突出させた状態（一部突出状態）と、に切り換えられるようになっている。したがって、テーブル本体５'を収納体４'の内部に完全に収めた状態にすることができながら、テーブル本体５'を収納体４'の内部に手を入れることなく外部に簡単に引き出すことができ、テーブル本体５'の収納性を高めつつ、テーブル本体５'の展開操作性も向上させることができる。
【０１３２】
上記テーブル本体５'は、収納体４'の内部に完全に収められた状態では、その自重作用により収納された位置に安定して保持されるようになっている。そして、上記テーブル本体５'は、上記収納体４'の内部に収められた状態から、その収納体４'の上面部に露呈する一部（取手部５Ｄ'）の上面を収納体４'の内部に押し込むようにプッシュ操作することにより、切換え装置２０'によって上方側に押し返されて一部突出状態に切り換えられるようになっている。そして、上記テーブル本体５'は、その一部突出した取手部５Ｄ'を把持して上方側に持ち上げた後、テーブル本体５'をシート内側に倒し込むことにより、着座者の前側の位置に水平姿勢の状態に倒し込んで小物置きとして使用することのできる状態に切り換えられるようになっている。
【０１３３】
また、本発明の「切換え装置」は、テーブル本体を収納体の外部から行われる操作によって収納状態と、取手部を収納体の外部に突出させた一部突出状態と、の間で切り換えることのできる構成となっているものであればよく、上記の切り換え操作をテーブル本体の押し込み操作ではなく、押ボタン等の操作手段を別途設けて行うようになっているものであってもよい。なお、上記の操作は、ハンドルの回転操作やツマミ操作等、押し込み操作以外の操作によって行われるものであってもよい。
【符号の説明】
【０１３４】
１，１'  シート
２      シートバック
３      シートクッション
４      支持台（ベース、収納体）
４'    収納体（ベース））
４Ａ'  蓋
４Ａ    アームレスト
４Ｂ    スリット
４Ｃ    内側面
Ｔａ，Ｔａ'  テーブル
５，５'  テーブル本体
５Ａ    テーブル片
５Ａ３  張出し部
５Ａ４  傾斜面
５Ｂ    テーブル片
５Ｂ３  傾斜面
５Ｂ４  リブ
５Ｂ５  マグネット
５Ｂ６  ゴム
５Ｃ    ヒンジ部
５Ｄ，５Ｄ'  取手部
１０，１０'  テーブル移動装置
１０Ａ  スライド機構
１０Ｂ  幅方向の回転機構
１０Ｃ  高さ方向の回転機構
１０Ｄ  調整機構
１１    固定フレーム
１１Ｘ  外側傾斜起立面部
１１Ｙ  内側垂直起立面部
１１Ｚ  内側傾斜起立面部
１１Ａ  第１ガイドブラケット
１１Ａ１  ボルト
１１Ｂ  第２ガイドブラケット
１１Ｂ１  ボルト
１１Ｃ  ガイドキャップ
１２    レール
１２Ａ  ボルト
１２Ｂ  開口
１３    スライダ
１３Ａ  ベアリング
１３Ｂ  ベアリング
１３Ｃ  樹脂シュー
１３Ｄ  カバー
１４    ヘルパ
１４Ａ  ステー
１４Ｂ  樹脂シュー
１４Ｃ  カバー
１５    巻取装置
１５Ａ  ワイヤ
１５Ｂ  ボルト
１６    ベースプレート
１６Ａ  ストッパ
１６Ｂ  螺合部
１６Ｂ１  調整ボルト
１６Ｃ  ボルト
１６Ｄ  スタッドボルト
１６Ｄ１  ボルト
１６Ｅ  ブッシュ
１６Ｆ  ナット
１６Ｇ  サイドカバー
１６Ｇ１  ボルト
１６Ｈ  アッパカバー
１６Ｈ１  ボルト
１６Ｈ２  スペーサ
１７    ロックプレート
１７Ａ  長孔
１７Ｂ  引込孔
１７Ｂ１  側面
１７Ｃ  受入面
１８    回転アーム
１８Ａ  第１連結ピン
１８Ｂ  第２連結ピン
１８Ｃ  カムフォロア
１８Ｃ１  キャップ
１８Ｃ２  ブッシュ
１８Ｄ  連接リンク
１８Ｅ  スライド板
１８Ｅ１  ロックピン
１８Ｅ２  ラック歯
１８Ｆ  係止突起
１８Ｇ  金属プレート
１８Ｈ  蓋カバー
１８Ｊ  ダンパ
１８Ｊ１  ピニオン
１９    ガイドプレート
１９Ａ  ボルト
１９Ｂ  ガイド孔
１９Ｂ１  ロック溝
１９Ｂ２  展開ガイド面
１９Ｂ３  収納ガイド面
１９Ｂ４  段差面
２０，２０'  切換え装置
２１      ガイドレール
２１Ａ    ガイド溝
２１Ｂ    ガイド突起
２１Ｃ    ボルト
２２      係止壁
２２Ａ    嵌合凸部
２２Ｂ    係止アーム
２２Ｃ    爪部
２３      スライド台
２３Ａ    天板面
２３Ｂ    押し壁
２３Ｃ    開口
２３Ｄ    差込み口
２３Ｅ    スライド突起
２３Ｆ    スライド溝
２３Ｇ    蓋板
２３Ｇ１  ボルト
２４      プッシュラッチ
２４Ａ    可動側ラッチ
２４Ａ１  横スライドピン
２４Ｂ    固定側ラッチ
２４Ｂ１  ガイド構造
２４Ｂ１ａ  第１係止壁部
２４Ｂ１ｂ  第２係止壁部
２４Ｂ１ｃ  第３係止壁部
２４Ｂ１ｄ  リターン壁部
２４Ｃ    圧縮ばね
２５      圧縮ばね
【図１】
2015131531.tif 000003
【図２】
2015131531.tif 000004
【図３】
2015131531.tif 000005
【図４】
2015131531.tif 000006
【図５】
2015131531.tif 000007
【図６】
2015131531.tif 000008
【図７】
2015131531.tif 000009
【図８】
2015131531.tif 000010
【図９】
2015131531.tif 000011
【図１０】
2015131531.tif 000012
【図１１】
2015131531.tif 000013
【図１２】
2015131531.tif 000014
【図１３】
2015131531.tif 000015
【図１４】
2015131531.tif 000016
【図１５】
2015131531.tif 000017
【図１６】
2015131531.tif 000018
【図１７】
2015131531.tif 000019
【図１８】
2015131531.tif 000020
【図１９】
2015131531.tif 000021
【図２０】
2015131531.tif 000022
【図２１】
2015131531.tif 000023
【図２２】
2015131531.tif 000024
【図２３】
2015131531.tif 000025
【図２４】
2015131531.tif 000026
【図２５】
2015131531.tif 000027
【図２６】
2015131531.tif 000028
【図２７】
2015131531.tif 000029
【図２８】
2015131531.tif 000030
【図２９】
2015131531.tif 000031
【図３０】
2015131531.tif 000032
【図３１】
2015131531.tif 000033
【図３２】
2015131531.tif 000034
【図３３】
2015131531.tif 000035
【図３４】
2015131531.tif 000036
【図３５】
2015131531.tif 000037
【図３６】
2015131531.tif 000038
【図３７】
2015131531.tif 000039
【図３８】
2015131531.tif 000040
【図３９】
2015131531.tif 000041
【図４０】
2015131531.tif 000042
【図４１】
2015131531.tif 000043